(57)【要約】      （修正有）【課題】記録用ディスクに印刷した印刷画像により記録用ディスクに記録されたコンテンツを確認させる。【解決手段】一方向に長い画像特徴部分が描かれた代表画像の一方向の一端及び他端を接合するようにして円形の印刷画像８２を生成し、記録用ディスク９０のディスク中心に印刷画像８２の画像中心を合せて記録用ディスク９０のディスク一面に印刷画像８２を印刷することにより、記録用ディスク９０に記録されたコンテンツを示す代表画像に描かれた一方向に長い画像特徴部分を欠けさせることなくディスク一面に印刷することができ、記録用ディスク９０に印刷した印刷画像８２により記録用ディスク９０に記録されたコンテンツを確認させることができる。【選択図】図２３
2010277647.tif 000002
【特許請求の範囲】
【請求項１】
記録用ディスクに記録されたコンテンツを示し、一方向に長い画像特徴部分が描かれた代表画像の当該一方向の一端及び他端を接合するようにして円形の印刷画像を生成する印刷画像生成部と、
上記記録用ディスクのディスク中心に上記印刷画像の画像中心を合せて当該記録用ディスクのディスク一面に上記印刷画像を印刷する印刷部と
を具える印刷装置。
【請求項２】
上記代表画像を解析して上記一方向に長い画像特徴部分が描かれた特徴描写領域を検出し、上記代表画像から、当該検出した上記特徴描写領域を特徴描写画像として切り出す画像解析部
を具え、
上記印刷画像生成部は、
上記特徴描写画像の上記一方向の一端及び他端を接合するようにして上記印刷画像を生成する
請求項１に記載の印刷装置。
【請求項３】
上記印刷部は、
上記記録用ディスクの上記ディスク一面に上記印刷画像を拡大して印刷する
請求項２に記載の印刷装置。
【請求項４】
上記印刷画像に描かれた上記画像特徴部分の絵柄の向きを変更するように指示するための指示部
を具え、
上記印刷画像生成部は、
上記指示部を介して上記向きの変更が指示されると、上記特徴描写画像の上記一方向と直交する他方向の一端及び他端のうち、まとめて上記印刷画像の画像中心にする一方と、当該印刷画像の画像外周にする他方とを切り換えて、当該他方をまとめて上記画像中心にし、上記一方を上記画像外周にして上記印刷画像を生成する
請求項３に記載の印刷装置。
【請求項５】
上記解析部は、
上記特徴描写領域の上記一方向の一端部と他端部との中で、最も類似する一端と他端とを特定し、上記代表画像から上記特徴描写領域の当該特定した上記一端から上記他端までを上記特徴描写画像として切り出す
請求項４に記載の印刷装置。
【請求項６】
上記印刷画像生成部は、
上記特徴描写画像の上記一方向の一端部及び他端部に特殊効果処理を施す
請求項５に記載の印刷装置。
【請求項７】
上記印刷画像生成部は、
それぞれ一方向に長い画像特徴部分が描かれた複数の上記特徴描写画像を上記一方向に順次繋げて１つの連続特徴描写画像を生成し、当該生成した１つの連続特徴描写画像の上記一方向の一端及び他端を接合するようにして上記印刷画像を生成する
請求項６に記載の印刷装置。
【請求項８】
上記印刷画像生成部は、
上記連続特徴描写画像に含まれる各上記特徴描写画像の接続部分に特殊効果処理を施し、当該連続特徴描写画像の上記一方向の一端部及び他端部にも特殊効果処理を施す
請求項７に記載の印刷装置。
【請求項９】
記録用ディスクに記録されたコンテンツを示し、一方向に長い画像特徴部分が描かれた代表画像の当該一方向の一端及び他端を接合するようにして円形の印刷画像を生成する印刷画像生成ステップと、
上記記録用ディスクのディスク中心に上記印刷画像の画像中心を合せて当該記録用ディスクのディスク一面に上記印刷画像を印刷する印刷ステップと
を具える印刷方法。
【請求項１０】
コンピュータに、
記録用ディスクに記録されたコンテンツを示し、一方向に長い画像特徴部分が描かれた代表画像の当該一方向の一端及び他端を接合するようにして円形の印刷画像を生成する印刷画像生成ステップと、
上記記録用ディスクのディスク中心に上記印刷画像の画像中心を合せて当該記録用ディスクのディスク一面に上記印刷画像を印刷する印刷ステップと
を実行させるための印刷プログラム。
【発明の詳細な説明】
【技術分野】
【０００１】
本発明は印刷装置、印刷方法及び印刷プログラムに関し、例えば、テレビジョン放送の番組を録画し得る番組録画装置に適用して好適なものである。
【背景技術】
【０００２】
従来の印刷装置は、例えば、ＣＤ（Compact  Disc）やＤＶＤ（Digital  Versatile  Disc）のようなディスクに記録する長方形状の画像（以下、これを記録画像とも呼ぶ）内で特徴部分（以下、これを画像特徴部分とも呼ぶ）を判断する。また印刷装置は、その記録画像について画像特徴部分の中心位置も判断する。
【０００３】
また印刷装置は、ディスクの一面において、ディスク中心からの半径がそれぞれ異なる第１乃至第３の同心円のうち、最も半径の小さい第１の同心円と最も半径の大きい第３の同心円との間を印刷可能領域とする。
【０００４】
さらに印刷装置は、ディスクの一面の印刷可能領域において、画像特徴部分の中心位置を第２の同心円上に位置させて、記録画像内の当該画像特徴部分を含む所定領域を印刷画像として印刷するための扇形の印刷領域を形成する。
【０００５】
そして印刷装置は、ディスクの一面の印刷領域に印刷画像を印刷する。このようにして印刷装置は、記録画像を記録したディスクが、その一面に印刷した印刷画像により、どのような記録画像を記録したものであるのかを確認させ得るようにしていた（例えば、特許文献１参照）。
【先行技術文献】
【特許文献】
【０００６】
【特許文献１】特開２００７−２７９８８０公報（第８頁、第９頁、図６、図１０）
【発明の概要】
【発明が解決しようとする課題】
【０００７】
ところが、かかる構成の印刷装置は、ディスクの一面の印刷領域に印刷画像を、画像特徴部分の中心位置を第２の同心円上に位置させ、空白部分が生じないように適宜、拡大して当該印刷画像の図形と、印刷結果の図形とがほぼ相似となるように印刷していた。
【０００８】
このため、印刷装置は、記録画像内に画像特徴部分が画像水平方向に長く描かれていると、印刷画像としての画像特徴部分の両端部が、ディスクの一面から外側にはみ出て、当該両端部を一面には印刷し得ない場合がある。
【０００９】
そして印刷装置は、ディスクの一面に印刷した記録画像において画像特徴部分の両端部が欠けていると、その印刷内容だけではディスクが、どのような記録画像を記録したものであるのかを確認させ難い場合があるという問題があった。
【００１０】
本発明は以上の点を考慮してなされたもので、記録用ディスクに印刷した印刷画像により当該記録用ディスクに記録されたコンテンツを確認させ得る印刷装置、印刷方法及び印刷プログラムを提案しようとするものである。
【課題を解決するための手段】
【００１１】
かかる課題を解決するため本発明においては、印刷装置において、記録用ディスクに記録されたコンテンツを示し、一方向に長い画像特徴部分が描かれた代表画像の当該一方向の一端及び他端を接合するようにして円形の印刷画像を生成し、記録用ディスクのディスク中心に印刷画像の画像中心を合せて当該記録用ディスクのディスク一面に印刷画像を印刷するようにした。
【００１２】
従って本発明では、印刷装置において、記録用ディスクに記録されたコンテンツを示す代表画像に描かれている一方向に長い画像特徴部分を、欠けさせることなくディスク一面に印刷することができる。
【発明の効果】
【００１３】
本発明によれば、印刷装置において、記録用ディスクに記録されたコンテンツを示し、一方向に長い画像特徴部分が描かれた代表画像の当該一方向の一端及び他端を接合するようにして円形の印刷画像を生成し、記録用ディスクのディスク中心に印刷画像の画像中心を合せて当該記録用ディスクのディスク一面に印刷画像を印刷するようにしたことにより、記録用ディスクに記録されたコンテンツを示す代表画像に描かれている一方向に長い画像特徴部分を、欠けさせることなくディスク一面に印刷することができ、かくして記録用ディスクに印刷した印刷画像により当該記録用ディスクに記録されたコンテンツを確認させ得る印刷装置、印刷方法及び印刷プログラムを実現することができる。
【図面の簡単な説明】
【００１４】
【図１】本発明による番組録画装置の外観構成の一実施の形態を示す略線的正面図である。
【図２】番組録画装置のハードウェア回路ブロックによる回路構成を示すブロック図である。
【図３】主制御部が実行する処理の説明に供する機能回路ブロックによる回路構成を示すブロック図である。
【図４】代表画像に対する解析用の区切り（１）の説明に供する略線図である。
【図５】代表画像の解析領域毎に求めたＲＧＢヒストグラムの説明に供する略線図である。
【図６】代表画像からの特徴描写領域の切り出し（１）の説明に供する略線図である。
【図７】特徴描写領域の左右の比較の説明に供する略線図である。
【図８】特徴描写領域からの横長特徴画像の切り出しの説明に供する略線図である。
【図９】代表画像に対する解析用の区切り（２）の説明に供する略線図である。
【図１０】代表画像からの特徴描写領域の切り出し（２）の説明に供する略線図である。
【図１１】特徴描写領域の上下の比較の説明に供する略線図である。
【図１２】特徴描写領域からの縦長特徴画像の切り出しの説明に供する略線図である。
【図１３】代表画像に対する解析用の区切り（３）の説明に供する略線図である。
【図１４】代表画像からの縦横短特徴画像の切り出しの説明に供する略線図である。
【図１５】横長特徴画像に基づく印刷画像の生成（１）の説明に供する略線図である。
【図１６】印刷画像の構成を示す略線図である。
【図１７】縦長特徴画像に基づく印刷画像の生成の説明に供する略線図である。
【図１８】２つの横長特徴画像に基づく印刷画像の生成の説明に供する略線図である。
【図１９】２つの縦長特徴画像に基づく印刷画像の生成の説明に供する略線図である。
【図２０】記録用ディスクのディスク一面の印刷領域を示す印刷領域情報の説明に供する略線図である。
【図２１】印刷データの構成（１）を示す略線図である。
【図２２】印刷プレビュ画面の構成（１）を示す略線図である。
【図２３】記録用ディスクのディスク一面への印刷画像の印刷（１）の説明に供する略線図である。
【図２４】横長特徴画像に基づく印刷画像の生成（２）の説明に供する略線図である。
【図２５】絵柄の向きを変更した印刷画像の構成を示す略線図である。
【図２６】印刷データの構成（２）を示す略線図である。
【図２７】印刷プレビュ画面の構成（２）を示す略線図である。
【図２８】記録用ディスクのディスク一面への印刷画像の印刷（２）の説明に供する略線図である。
【図２９】タイトルを追加した印刷画像の構成を示す略線図である。
【図３０】印刷データの構成（３）を示す略線図である。
【図３１】印刷プレビュ画面の構成（３）を示す略線図である。
【図３２】記録用ディスクのディスク一面への印刷画像の印刷（３）の説明に供する略線図である。
【図３３】印刷データの構成（４）を示す略線図である。
【図３４】印刷プレビュ画面の構成（４）を示す略線図である。
【図３５】記録用ディスクのディスク一面への印刷画像の印刷（４）の説明に供する略線図である。
【図３６】印刷処理手順（１）を示すフローチャートである。
【図３７】印刷処理手順（２）を示すフローチャートである。
【図３８】特徴描写画像の加工の説明に供する略線図である。
【発明を実施するための形態】
【００１５】
以下図面について、発明を実施するための最良の形態（以下、これを実施の形態とも呼ぶ）について説明する。なお、説明は以下の順序で行う。
１．実施の形態
２．変形例
【００１６】
＜１．実施の形態＞
［１−１  番組録画装置の外観構成］
図１において、１は全体として本発明を適用した番組録画装置を示す。かかる番組録画装置１は、デジタル系放送及びアナログ系放送の電子番組案内（EPG:Electronic  Program  Guide）情報を取得するＥＰＧ取得機能を有している。
【００１７】
また番組録画装置１は、デジタル系放送及びアナログ系放送の番組を録画する番組録画機能や、外部から動画像データや写真画像データを取り込んで記憶するデータ記憶機能も有している。
【００１８】
さらに番組録画装置１は、録画した番組の番組データや、外部から取り込み記憶した動画像データ及び写真画像データを再生するデータ再生機能も有している。
【００１９】
さらに番組録画装置１は、録画した番組の番組データや外部から取り込み記憶した動画像データ及び写真画像データをディスクに記録するディスク記録機能、ディスクに記録した番組データや動画像データ、写真画像データを再生するディスク再生機能も有している。
【００２０】
因みに、以下の説明では、録画した番組を、録画番組とも呼ぶ。また、以下の説明では、番組データや写真画像データ、動画像データの記録に用いるディスクを、記録用ディスクとも呼ぶ。
【００２１】
さらに番組録画装置１は、番組データや動画像データ、写真画像データを記録した記録用ディスクの一面に、当該記録した番組データや動画像データ、写真画像データを示す印刷画像を印刷する印刷機能等も有している。因みに、以下の説明では、記録用ディスクの一面をディスク一面とも呼ぶ。
【００２２】
実際に番組録画装置１は、箱型の装置筐体２を有している。装置筐体２は、正面右側に液晶ディスプレイ又は有機ＥＬ（Electro  Luminescence）ディスプレイ等でなる表示部３が設けられている。これにより番組録画装置１は、番組の録画時間や再生時間等のように、当該番組録画装置１の動作状況を通知するための状況通知情報を表示部３に表示し得るようになされている。
【００２３】
また装置筐体２は、正面中央部にディスクトレイ４が、装置内部からせり出し、また装置内部に収納すようにスライド可能に設けられている。これにより番組録画装置１は、ＤＶＤ（Digital  Versatile  Disc）やＢＤ（Blu-ray  Disc）等のような記録用ディスクを、ディスクトレイ４を介して装置内部に装填し、装置内部から外部に排出する。
【００２４】
さらに装置筐体２は、正面に透明な保護カバー５が当該正面を外部に開放し、また覆うように開閉可能に設けられている。これにより番組録画装置１は、装置筐体２の正面に対し保護カバー５を開いた場合、ディスクトレイ４を装置内部から外部へせり出させることができる。
【００２５】
これに対して番組録画装置１は、ディスクトレイ４を装置内部に収納した状態で装置筐体２の正面に対し保護カバー５を閉じた場合、表示部３やディスクトレイ４を外部から保護し得るようになされている。
【００２６】
［１−２  番組録画装置の回路構成］
次いで、図２を用いて番組録画装置１のハードウェア回路ブロックによる回路構成について説明する。番組録画装置１は、例えば、マイクロコンピュータ構成の主制御部１０を有している。
【００２７】
主制御部１０は、図示しない内蔵メモリ、又はバス１１を介して接続されたハードディスクドライブ１２に予め記憶された各種プログラムに従って、番組録画装置１全体を制御すると共に、所定の演算処理を実行する。
【００２８】
また主制御部１０は、リモートコントローラＲＭからユーザ操作に応じて送信された光信号を、受光部１３で受光しＵＩ（User  Interface）制御部１４を介して操作コマンドとして取り込み、その操作コマンドに応じた各種処理も実行する。因みに、以下の説明では、リモートコントローラＲＭを、リモコンＲＭとも呼ぶ。
【００２９】
これにより主制御部１０は、デジタル系放送の番組視聴モード時、リモコンＲＭのユーザ操作等に応じて、デジタル系アンテナ２０によって受信したデジタル放送信号をデジタルチューナ２１に取り込む。
【００３０】
デジタルチューナ２１は、デジタル系アンテナ２０からデジタル放送信号を取り込みながら、当該デジタル放送信号から任意のチャンネル（例えば、リモコンＲＭの操作により指定されたチャンネル）の放送データを抽出する。またデジタルチューナ２１は、デジタル放送信号から抽出した放送データを、ストリームバッファ２２を介してデマルチプレクサ２３に送出する。
【００３１】
ここで、デジタル系放送の放送データは、番組の番組データと、放送関連データとが時分割多重化されトランスポートストリームとして生成されている。因みに、番組の番組データは、番組映像の映像データと、番組音声の音声データとが時分割多重化されて生成されている。
【００３２】
また放送関連データには、データ放送用の情報、また放送に関するこの他種々の情報が含まれている。因みに、番組映像の映像データは、時間的に連続する複数のフレーム画像のフレーム画像データによって構成されている。
【００３３】
よってデマルチプレクサ２３は、放送データを番組データと放送関連データとに分離する。またデマルチプレクサ２３は、その番組データを映像データと音声データとに分離する。そしてデマルチプレクサ２３は、これら映像データ及び音声データをＡＶ（Audio  Visual）デコーダ２４に送出する。
【００３４】
ＡＶデコーダ２４は、映像データ及び音声データそれぞれをデコード（すなわち、復号）した後、デジタルアナログ変換することにより映像信号及び音声信号を生成する。またＡＶデコーダ２４は、その映像信号をＧＵＩ（Graphical  User  Interface）重畳器２５に送出する。
【００３５】
ＧＵＩ重畳器２５は、映像信号にＯＳＤ（On  Screen  Display）等のグラフィックス信号を重畳する。またＧＵＩ重畳器２５は、そのグラフィックス信号を重畳した映像信号を、ＴＶ（Television）接続端子２６を介して外部のテレビジョン受像機２７に送出する。さらにＡＶデコーダ２４は、このとき音声信号を、ＴＶ接続端子２６を介してテレビジョン受像機２７に送出する。
【００３６】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、デジタル系放送で放送中の番組を視聴させることができる。
【００３７】
また主制御部１０は、アナログ系放送の番組視聴モード時、リモコンＲＭのユーザ操作等に応じて、アナログ系アンテナ２８によって受信したアナログ放送信号をアナログチューナ２９に取り込む。
【００３８】
アナログチューナ２９は、アナログ系アンテナ２８からアナログ放送信号を取り込みながら、当該アナログ放送信号から任意のチャンネルの放送信号を抽出する。またアナログチューナ２９は、アナログ放送信号から抽出した放送信号を復調器３０に送出する。
【００３９】
復調器３０は、放送信号をＮＴＳＣ（National  Television  Standards  Committee）規格に準じて復調することによりＮＴＳＣ信号を生成する。また復調器３０は、そのＮＴＳＣ信号をＭＰＥＧ（Moving  Picture  Experts  Group）エンコーダ３１に送出する。
【００４０】
ＭＰＥＧエンコーダ３１は、ＮＴＳＣ信号をＭＰＥＧ規格に準じてエンコードして番組データを生成する。またＭＰＥＧエンコーダ３１は、その番組データを、ストリームバッファ２２を介してデマルチプレクサ２３に送出する。
【００４１】
この際、デマルチプレクサ２３は、上述と同様に番組データを映像データと音声データとに分離して、ＡＶデコーダ２４に送出する。ＡＶデコーダ２４は、上述と同様に映像データ及び音声データに基づき映像信号及び音声信号を生成する。またＡＶデコーダ２４は、その映像信号をＧＵＩ重畳器２５に送出する。
【００４２】
ＧＵＩ重畳器２５は、上述と同様に映像信号にグラフィックス信号を重畳し、ＴＶ接続端子２６を介して外部のテレビジョン受像機２７に送出する。さらにＡＶデコーダ２４は、このとき音声信号を、ＴＶ接続端子２６を介してテレビジョン受像機２７に送出する。
【００４３】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、アナログ系放送で放送中の番組も視聴させることができる。
【００４４】
ところでデジタル系放送やアナログ系放送では、チャンネル毎の電子番組案内情報が、当該電子番組案内情報のもとになる番組毎の番組情報として配信されている。因みに、番組毎の番組情報は、その番組を放送する放送局の名称（以下、これを放送局名とも呼ぶ）、当該番組の放送日時、番組タイトル、番組の属するジャンル、番組概要、番組詳細、出演者名等でなる。
【００４５】
デジタル系放送では、チャンネル毎に、番組の番組情報を含む放送関連データが生成されている。そしてデジタル系放送では、特定のチャンネルで各チャンネルの電子番組案内情報（すなわち、番組情報）がまとめて配信され、又は各チャンネルで別々に電子番組案内情報（すなわち、番組情報）が配信されている。
【００４６】
すなわち、デジタル系放送では、特定のチャンネルでのみ電子番組案内情報を配信する場合、特定のチャンネルの放送データが、特定のチャンネルの番組データと、チャンネル毎の放送関連データとを時分割多重化して生成されている。
【００４７】
またデジタル系放送では、各チャンネルで電子番組案内情報を配信する場合、チャンネル毎の放送データが、当該チャンネルの番組データと、そのチャンネルの放送関連データとを時分割多重化して生成されている。
【００４８】
よってデジタルチューナ２１は、特定のチャンネルでのみ電子番組案内情報が配信される場合、所定のタイミングでデジタル放送信号から特定のチャンネルの放送データを抽出する。そしてデジタルチューナ２１は、デジタル放送信号から抽出した放送データをデマルチプレクサ３５に送出する。
【００４９】
またデジタルチューナ２１は、各チャンネルで電子番組案内情報が配信される場合、所定のタイミングでデジタル放送信号から各チャンネルの放送データを順番に抽出する。そしてデジタルチューナ２１は、デジタル放送信号から抽出した放送データをデマルチプレクサ３５に送出する。
【００５０】
デマルチプレクサ３５は、放送データから、放送関連データを分離する。またデマルチプレクサ３５は、その放送関連データをメモリ３６に送出して一時記憶する。
【００５１】
主制御部１０は、メモリ３６から放送関連データを、バス１１を介して読み出す。また主制御部１０は、その放送関連データから、これに含まれるＰＳＩ／ＳＩ（Program  Specific  Information/Service  Information）に基づき番組毎の番組情報を取り出す。
【００５２】
そして主制御部１０は、放送関連データから取り出した番組毎の番組情報を用いて電子番組案内情報を生成し、これをデジタル系放送の電子番組案内情報としてバス１１を介してハードディスクドライブ１２に送出して記憶する。
【００５３】
またアナログ系放送では、特定のチャンネルの放送信号に含まれる映像信号の垂直帰線期間部分に、各チャンネルの電子番組案内情報のもとになる番組毎の番組情報が格納されている。そしてアナログ系放送では、その特定のチャンネルで各チャンネルの電子番組案内情報（すなわち、番組情報）がまとめて配信されている。
【００５４】
よってアナログチューナ２９は、所定のタイミングでアナログ放送信号から、特定のチャンネルの放送信号を抽出する。またアナログチューナ２９は、アナログ放送信号から抽出した放送信号を復調器３０に送出する。
【００５５】
この際、復調器３０は、特定のチャンネルの放送信号に基づき上述と同様にＮＴＳＣ信号を生成する。また復調器３０は、そのＮＴＳＣ信号をＶＢＩ（Vertical  Blanking  Interval）スライサ３７に送出する。
【００５６】
ＶＢＩスライサ３７は、ＮＴＳＣ信号から、これに含まれる映像信号を分離すると共に、当該映像信号から垂直帰線期間部分を切り出してＥＰＧ（Electronic  Program  Guide）デコーダ３８に送出する。
【００５７】
ＥＰＧデコーダ３８は、映像信号から切り出された垂直帰線期間部分をデコードすることにより番組毎の番組情報を得て、これを番組情報データとしてメモリ３６に送出し一時記憶する。
【００５８】
主制御部１０は、メモリ３６から番組毎の番組情報データを、バス１１を介して読み出す。また主制御部１０は、番組毎の番組情報データに基づく番組情報を用いて電子番組案内情報を生成し、これをアナログ系放送の電子番組案内情報としてバス１１を介してハードディスクドライブ１２に送出して記憶する。このようにして主制御部１０は、デジタル系放送及びアナログ系放送の電子番組案内情報を取得する。
【００５９】
このような電子番組案内情報には、例えば、現時点からむこう１週間に放送予定の番組毎の番組情報として、放送局名、放送日時、番組タイトル、ジャンル、番組概要、番組詳細、出演者名等が含まれている。
【００６０】
そして主制御部１０は、リモコンＲＭのユーザ操作等に応じて、ハードディスクドライブ１２からデジタル系放送やアナログ系放送の電子番組案内情報を、バス１１を介して読み出す。
【００６１】
この際、主制御部１０は、電子番組案内情報をもとに、放送予定の複数の番組の放送スケジュールを表にした番組表の画面データ（以下、これを番組表画面データとも呼ぶ）を生成する。そして主制御部１０は、その番組表画面データを表示用にバス１１を介してメモリ３９に送出して一時記憶する。
【００６２】
ＧＵＩ重畳器２５は、このとき主制御部１０の制御のもと、メモリ３９から番組表画面データを読み出して番組表画面信号を生成する。またＧＵＩ重畳器２５は、その番組表画面信号を、ＴＶ接続端子２６を介して外部のテレビジョン受像機２７に送出する。
【００６３】
これによりＧＵＩ重畳器２５は、テレビジョン受像機２７のディスプレイに番組表画面信号に基づき、デジタル系放送やアナログ系放送の番組表画面（図示せず）を表示する。このようにして主制御部１０は、ユーザに対し番組表画面により、現時点からむこう１週間に放送予定の番組を確認させることができる。
【００６４】
この状態で主制御部１０は、リモコンＲＭのユーザ操作等により番組表画面上で任意の番組が選択され録画予約が指示されると、選択された番組の番組情報（放送局名及び放送日時等）を利用して、番組の録画日時等を示す録画予約情報を生成する。そして主制御部１０は、その録画予約情報を、例えば、メモリ３６に記憶することにより、録画予約の指示された番組を録画予約する。
【００６５】
主制御部１０は、例えば、デジタル系放送の番組を録画予約すると、録画予約情報が示す番組の録画日時を現在日時と比較し、現在日時が録画日時に達すると、デジタル系放送の予約録画モードに移行する。これにより主制御部１０は、デジタル系アンテナ２０によって受信したデジタル放送信号をデジタルチューナ２１に取り込む。
【００６６】
デジタルチューナ２１は、デジタル系アンテナ２０からデジタル放送信号を取り込みながら、当該デジタル放送信号から録画予約情報が示すチャンネルの放送データを抽出する。
【００６７】
またデジタルチューナ２１は、デジタル放送信号から抽出した放送データを、ストリームバッファ２２を介して番組単位の番組データとし、ハードディスクドライブ１２に送出して記憶する。このようにして主制御部１０は、デジタル系放送の番組を録画することができる。
【００６８】
一方、主制御部１０は、例えば、アナログ系放送の番組を録画予約した場合も、録画予約情報が示す番組の録画日時を現在日時と比較し、現在日時が録画日時に達すると、アナログ系放送の予約録画モードに移行する。これにより主制御部１０は、アナログ系アンテナ２８によって受信したアナログ放送信号をアナログチューナ２９に取り込む。
【００６９】
アナログチューナ２９は、アナログ系アンテナ２８からアナログ放送信号を取り込みながら、当該アナログ放送信号から録画予約情報が示すチャンネルの放送信号を抽出する。またアナログチューナ２９は、アナログ放送信号から抽出した放送信号を復調器３０に送出する。
【００７０】
復調器３０は、その放送信号を上述と同様に復調してＮＴＳＣ信号を生成する。また復調器３０は、そのＮＴＳＣ信号をＭＰＥＧエンコーダ３１に送出する。ＭＰＥＧエンコーダ３１は、ＮＴＳＣ信号を上述と同様にエンコードして番組データを生成する。
【００７１】
またＭＰＥＧエンコーダ３１は、その番組データを、ストリームバッファ２２を介してハードディスクドライブ１２に送出して記憶する。このようにして主制御部１０は、アナログ系放送の番組も録画することができる。
【００７２】
また主制御部１０は、デジタル系放送やアナログ系放送の番組の視聴時に、ユーザによりリモコンＲＭを介して録画命令が入力されると、上述とほぼ同様にして、視聴中の番組の番組データをハードディスクドライブ１２に記憶する。これにより主制御部１０は、デジタル系放送やアナログ系放送の視聴中の番組も録画することができる。
【００７３】
ところで主制御部１０は、このようにして録画予約や録画命令の入力に応じて番組を録画すると、ハードディスクドライブ１２から、その録画番組の番組データを、バス１１を介して読み出す。
【００７４】
そして主制御部１０は、その録画番組の番組データから映像データを分離する。また主制御部１０は、その映像データを構成する複数のフレーム画像データのうち、例えば、先頭のフレーム画像データを、録画番組を示す代表的な画像（以下、これを代表画像とも呼ぶ）のデータ（以下、これを代表画像データとも呼ぶ）に決定する。
【００７５】
さらに主制御部１０は、その映像データ内で代表画像データとしての先頭のフレーム画像データを識別可能なフレーム識別情報を、代表画像識別情報として検出する。因みに、フレーム識別情報は、例えば、映像データを構成する複数のフレーム画像データに順番に付されたフレーム番号でなる。
【００７６】
さらに主制御部１０は、代表画像データ（すなわち、先頭のフレーム画像データ）に縮小処理を施すことにより、当該代表画像データに基づく代表画像（すなわち、フレーム画像）を、画素を間引いて縮小したサムネイル画像のサムネイル画像データを生成する。
【００７７】
これに加えて主制御部１０は、録画番組の番組情報から番組タイトルやジャンル、放送日時等の一部の情報を取り出す。そして主制御部１０は、番組情報から取り出した情報と、代表画像識別情報（すなわち、フレーム識別情報）と、サムネイル画像データとをまとめて、当該録画番組の番組データの属性を示す属性情報を生成する。すなわち、主制御部１０は、番組情報から取り出した情報と、検出したフレーム識別情報と、サムネイル画像データとをまとめて、番組データの属性情報とする。
【００７８】
このようにして主制御部１０は、属性情報を生成すると、その属性情報を、バス１１を介してハードディスクドライブ１２に送出することにより、当該ハードディスクドライブ１２に属性情報を、録画番組の番組データに関連付けて記憶する。
【００７９】
ところで、番組録画装置１には、ＤＶ（Digital  Video）端子４０やＵＳＢ（Universal  Serial  Bus）端子４１を介してデジタルビデオカメラやデジタルスチルカメラ（図示せず）を接続し得るようになされている。因みに、以下の説明では、これらデジタルビデオカメラ及びデジタルスチルカメラをまとめて、デジタル撮影機器とも呼ぶ。
【００８０】
このデジタル撮影機器は、被写体を動画撮影して動画像データを生成し、また被写体を写真撮影して写真画像データを生成し得るようになされている。因みに、デジタル撮影機器の生成する動画像データは、被写体を動画撮影して得られる映像データと、当該被写体の動画撮影時に周囲の音声を集音して得られた音声データとから構成されている。また、かかる映像データは、時間的に連続する複数のフレーム画像のフレーム画像データによって構成されている。
【００８１】
デジタル撮影機器は、被写体を動画撮影して動画像データを生成したとき、その動画像データを構成する映像データにおいて複数のフレーム画像データのうち、例えば、先頭のフレーム画像データを、動画像を示す代表画像の代表画像データに決定する。またデジタル撮影機器は、映像データ内で代表画像データとしての先頭のフレーム画像データを識別可能なフレーム識別情報を、代表画像識別情報として検出する。
【００８２】
さらにデジタル撮影機器は、代表画像データ（すなわち、先頭のフレーム画像データ）に縮小処理を施すことにより、当該代表画像データに基づく代表画像（すなわち、フレーム画像）を、画素を間引いて縮小したサムネイル画像のサムネイル画像データを生成する。
【００８３】
そしてデジタル撮影機器は、動画像データを識別可能なタイトルや生成日時（動画撮影日時）等を示す情報と、代表画像識別情報（すなわち、フレーム識別情報）と、サムネイル画像データとをまとめて、当該動画像データの属性を示す属性情報を生成している。
【００８４】
因みに、動画像データを識別可能なタイトルは、例えば、デジタル撮影機器により当該動画像データに自動的に付されたファイル名や、ユーザにより任意に付された名称であり、以下の説明では、そのタイトルを、動画タイトルとも呼ぶ。
【００８５】
またデジタル撮影機器は、被写体を写真撮影して写真画像データを生成したとき、その写真画像データ自体を、写真画像を示す代表画像の代表画像データに決定する。またデジタル撮影機器は、代表画像データ（すなわち、写真画像データ）に縮小処理を施すことにより、当該代表画像データに基づく代表画像（すなわち、写真画像）を、画素を間引いて縮小したサムネイル画像のサムネイル画像データを生成する。
【００８６】
そしてデジタル撮影機器は、写真画像データを識別可能なタイトルや生成日時（写真撮影日時）等を示す情報と、サムネイル画像データとをまとめて、当該写真画像データの属性を示す属性情報を生成している。
【００８７】
因みに、写真画像データを識別可能なタイトルは、例えば、デジタル撮影機器により当該写真画像データに自動的に付されたファイル名や、ユーザにより任意に付された名称であり、以下の説明では、そのタイトルを、写真タイトルとも呼ぶ。
【００８８】
主制御部１０は、ＤＶ端子４０を介して接続されたデジタル撮影機器から所定フォーマットの動画像データが転送用の動画像信号として属性情報と共に出力されると、これらをＤＶ（Digital  Video）デコーダ４２に取り込む。
【００８９】
ＤＶデコーダ４２は、その動画像信号をデコードし、属性情報と共に復調器３０に送出する。復調器３０は、ＤＶデコーダ４２から動画像信号及び属性情報が与えられると、その動画像信号をＮＴＳＣ規格に準じて復調することによりＮＴＳＣ信号を生成する。また復調器３０は、そのＮＴＳＣ信号を属性情報と共にＭＰＥＧエンコーダ３１に送出する。
【００９０】
ＭＰＥＧエンコーダ３１は、ＮＴＳＣ信号をＭＰＥＧ規格に準じてエンコードすることにより、番組録画装置１内で扱えるフォーマットの動画像データを生成する。すなわち、ＭＰＥＧエンコーダ３１は、デジタル撮影機器により生成された所定フォーマットの動画像データを、番組録画装置１で扱えるフォーマットに変換する。
【００９１】
因みに、フォーマット変換された動画像データは、映像データと音声データとが時分割多重化されて生成されている。また動画像データに含まれる映像データは、時間的に連続する複数のフレーム画像のフレーム画像データによって構成されている。
【００９２】
そしてＭＰＥＧエンコーダ３１は、その動画像データを、ストリームバッファ２２を介してハードディスクドライブ１２に送出して記憶する。またＭＰＥＧエンコーダは、このとき属性情報もストリームバッファ２２を介してハードディスクドライブ１２に送出することにより、当該ハードディスクドライブ１２に、その属性情報を動画像データに関連付けて記憶する。このようにして主制御部１０は、デジタル撮影機器により被写体を動画撮影して生成された動画像を取得する。
【００９３】
また主制御部１０は、ＵＳＢ端子４１を介して接続されたデジタル撮影機器から写真画像データが属性情報と共に出力されると、これらをＵＳＢ（Universal  Serial  Bus）コントローラ４３に取り込む。
【００９４】
ＵＳＢコントローラ４３は、その写真画像データを、ストリームバッファ２２を介してハードディスクドライブ１２に送出して記憶する。またＵＳＢコントローラ４３は、このとき属性情報もバス１１を介してハードディスクドライブ１２に送出することにより、当該ハードディスクドライブ１２に、その属性情報を写真画像データに関連付けて記憶する。このようにして主制御部１０は、デジタル撮影機器により被写体を写真撮影して生成された写真画像を取得する。
【００９５】
さらに主制御部１０は、リモコンＲＭのユーザ操作等に応じて、図示しないネットワーク機器から送信された動画像データや写真画像データを、これらの属性情報と共にネットワーク端子４４及びネットワークコントローラ４５を順次介して取り込むこともできる。
【００９６】
そして主制御部１０は、その動画像データや写真画像データを、バス１１を介してハードディスクドライブ１２に送出して記憶する。また主制御部１０は、このとき属性情報もバス１１を介してハードディスクドライブ１２に送出することにより、当該ハードディスクドライブ１２に属性情報を、動画像データや写真画像データに関連付けて記憶する。このようにして主制御部１０は、ネットワーク機器の提供する動画像や写真画像を取得することもできる。
【００９７】
因みに、ネットワーク機器の提供する動画像データは、映像データと音声データとが時分割多重化されて生成されている。また動画像データについては、映像データを構成する複数のフレーム画像データのうち例えば、先頭のフレーム画像データが、動画像を示す代表画像の代表画像データに決定されている。
【００９８】
そして動画像データの属性を示す属性情報には、当該動画像データのファイル名のような動画タイトルや生成日時等を示す情報が含まれている。また動画像データの属性情報には、代表画像の代表画像データとして決定された、先頭のフレーム画像データのフレーム識別情報が代表画像識別情報として含まれている。
【００９９】
さらに動画像データの属性情報には、代表画像データ（先頭のフレーム画像データ）に縮小処理を施すことにより、当該代表画像データに基づく代表画像（フレーム画像）を、画素を間引いて縮小したサムネイル画像のサムネイル画像データも含まれている。
【０１００】
一方、ネットワーク機器の提供する写真画像データについては、その写真画像データ自体が、写真画像を示す代表画像の代表画像データに決定されている。そして写真画像データの属性を示す属性情報には、当該写真画像データのファイル名のような写真タイトルや生成日時等の情報が含まれている。
【０１０１】
また写真画像データの属性情報には、代表画像データ（写真画像データ）に縮小処理を施すことにより、当該代表画像データに基づく代表画像（写真画像）を、画素を間引いて縮小したサムネイル画像のサムネイル画像データも含まれている。
【０１０２】
そして主制御部１０は、ユーザによりリモコンＲＭを介してデータ再生モードが選択されると、ハードディスクドライブ１２から番組データや動画像データ、写真画像データの属性情報を、バス１１を介して読み出す。
【０１０３】
また主制御部１０は、その属性情報に基づき、この時点までに録画した録画番組や、この時点までに取得した動画像及び写真画像を通知するための通知画面データを生成する。さらに主制御部１０は、その通知画面データを表示用にバス１１を介してメモリ３９に送出して一時記憶する。
【０１０４】
ＧＵＩ重畳器２５は、このとき主制御部１０の制御のもと、メモリ３９から通知画面データを読み出して通知画面信号を生成する。またＧＵＩ重畳器２５は、その通知画面信号を、ＴＶ接続端子２６を介して外部のテレビジョン受像機２７に送出する。
【０１０５】
これによりＧＵＩ重畳器２５は、テレビジョン受像機２７のディスプレイに通知画面信号に基づき通知画面（図示せず）を表示する。この場合、通知画面内には、番組タイトルや動画タイトル、写真タイトルと共に、これらに対応付けて録画番組や動画像、写真画像を示すサムネイル画像が配置されている。
【０１０６】
よって主制御部１０は、ユーザに対し通知画面内の番組タイトル、動画タイトル、写真タイトル及びサムネイル画像により、この時点までに録画した録画番組や、この時点までに取得した動画像及び写真画像を通知することができる。
【０１０７】
この状態で主制御部１０は、ユーザによりリモコンＲＭを介して通知画面上で再生対象の録画番組や再生対象の動画像、再生対象の写真画像を選択させることができる。実際に主制御部１０は、通知画面上で録画番組が選択されると、ハードディスクドライブ１２から当該選択された録画番組の番組データを読み出しストリームバッファ２２を介してデマルチプレクサ２３に送出する。
【０１０８】
デマルチプレクサ２３は、上述と同様に番組データを映像データと音声データとに分離してＡＶデコーダ２４に送出する。ＡＶデコーダ２４は、上述と同様に映像データ及び音声データに基づき映像信号及び音声信号を生成する。またＡＶデコーダ２４は、その映像信号をＧＵＩ重畳器２５に送出する。
【０１０９】
ＧＵＩ重畳器２５は、上述と同様に映像信号にグラフィックス信号を重畳し、ＴＶ接続端子２６を介してテレビジョン受像機２７に送出する。さらにＡＶデコーダ２４は、このとき音声信号を、ＴＶ接続端子２６を介してテレビジョン受像機２７に送出する。
【０１１０】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、録画した番組を視聴させることができる。
【０１１１】
また主制御部１０は、通知画面上で動画像が選択されると、ハードディスクドライブ１２から当該選択された動画像の動画像データを読み出しストリームバッファ２２を介してデマルチプレクサ２３に送出する。デマルチプレクサ２３は、動画像データを映像データと音声データとに分離し、ＡＶデコーダ２４に送出する。
【０１１２】
ＡＶデコーダ２４は、デマルチプレクサ２３から映像データ及び音声データが与えられると、上述と同様に、その映像データ及び音声データに基づき映像信号及び音声信号を生成する。またＡＶデコーダ２４は、その映像信号をＧＵＩ重畳器２５に送出する。
【０１１３】
ＧＵＩ重畳器２５は、ＡＶデコーダ２４から映像信号が与えられると、上述と同様に、その映像信号にグラフィックス信号を重畳し、ＴＶ接続端子２６を介してテレビジョン受像機２７に送出する。またＡＶデコーダ２４は、このとき音声信号を、ＴＶ接続端子２６を介してテレビジョン受像機２７に送出する。
【０１１４】
これにより主制御部１０は、テレビジョン受像機２７においてディスプレイに映像信号に基づく映像を表示させると共に、その映像の表示に合せてスピーカから音声信号に基づく音声を出力させる。このようにして主制御部１０は、外部から取得した動画像を視聴させることができる。
【０１１５】
さらに主制御部１０は、通知画面上で写真画像が選択されると、ハードディスクドライブ１２から当該選択された写真画像の写真画像データを読み出しストリームバッファ２２を介してＪＰＥＧ（Joint  Photographic  Experts  Group）デコーダ４６に送出する。
【０１１６】
ＪＰＥＧデコーダ４６は、写真画像データをＪＰＥＧ規格に準じてデコード（すなわち、復号）した後、デジタルアナログ変換することにより写真画像信号を生成する。またＪＰＥＧデコーダ４６は、その写真画像信号をＧＵＩ重畳器２５に送出する。ＧＵＩ重畳器２５は、写真画像信号にＯＳＤ等のグラフィックス信号を重畳し、ＴＶ接続端子２６を介してテレビジョン受像機２７に送出する。
【０１１７】
これにより主制御部１０は、テレビジョン受像機２７のディスプレイに写真画像信号に基づく写真画像を表示させる。このようにして主制御部１０は、外部から取得した写真画像を見せることもできる。
【０１１８】
ところで、上述のように録画番組や動画像については、その生成時点に先頭のフレーム画像が、代表画像に決定されている。しかしながら、先頭のフレーム画像は、ユーザにとって必ずしも、録画番組や動画像を的確に示すような特徴的な部分（以下、これを画像特徴部分とも呼ぶ）を有する代表画像であるとは限らない。
【０１１９】
このため主制御部１０は、ユーザによりリモコンＲＭを介して代表画像を選定する画像選定モードが選択されると、ハードディスクドライブ１２から番組データや動画像データの属性情報を、バス１１を介して読み出す。
【０１２０】
また主制御部１０は、その属性情報に基づき上述したデータ再生モード時と同様に通知画面データを生成するようにして、テレビジョン受像機２７のディスプレイに通知画面（図示せず）を表示する。
【０１２１】
この状態で主制御部１０は、ユーザによりリモコンＲＭを介して通知画面上で録画番組が選択されると、ハードディスクドライブ１２から当該選択された録画番組の番組データを、バス１１を介して読み出す。
【０１２２】
また主制御部１０は、番組データから映像データを分離してデコード（すなわち、復号）すると共に、当該デコードした映像データから、時系列に沿って例えば１秒毎の１つのフレーム画像データを順次取り出す。
【０１２３】
さらに主制御部１０は、映像データから順次取り出したフレーム画像データに基づき、複数のフレーム画像を一覧表示するためのフレーム画像一覧画面データを生成する。そして主制御部１０は、そのフレーム画像一覧画面データを表示用にバス１１を介してメモリ３９に送出して一時記憶する。
【０１２４】
ＧＵＩ重畳器２５は、このとき主制御部１０の制御のもと、メモリ３９からフレーム画像一覧画面データを読み出してフレーム画像一覧画面信号を生成する。またＧＵＩ重畳器２５は、そのフレーム画像一覧画面信号を、ＴＶ接続端子２６を介して外部のテレビジョン受像機２７に送出する。
【０１２５】
これによりＧＵＩ重畳器２５は、テレビジョン受像機２７のディスプレイにフレーム画像一覧画面信号に基づきフレーム画像一覧画面（図示せず）を表示する。このようにして主制御部１０は、ユーザに対しフレーム画像一覧画面により、１つの録画番組の番組映像を構成する複数のフレーム画像を見せることができる。
【０１２６】
この状態で主制御部１０は、ユーザによりリモコンＲＭを介してフレーム画像一覧画面上で１つのフレーム画像が選定されると、当該選定された１つのフレーム画像のフレーム画像データを、新たな代表画像の代表画像データに決定する。
【０１２７】
そして主制御部１０は、その新たな代表画像データに決定したフレーム画像データのフレーム識別情報を、新たな代表画像識別情報として検出する。また主制御部１０は、その代表画像データ（すなわち、新たなフレーム画像データ）に縮小処理を施すことにより新たなサムネイル画像データを生成する。
【０１２８】
さらに主制御部１０は、このときユーザにより選択されていた録画番組の属性情報において、すでに含まれていた代表画像識別情報及びサムネイル画像データを、新たな代表画像識別情報及びサムネイル画像データに交換して内容を更新する。
【０１２９】
そして主制御部１０は、その内容を更新した属性情報を、バス１１を介してハードディスクドライブ１２に送出することにより、当該ハードディスクドライブ１２において、その属性情報を、内容を更新する前のものに上書きするように記憶する。
【０１３０】
このようにして主制御部１０は、録画番組を示す代表画像としてのフレーム画像を、ユーザにとって、より的確に録画番組を示すと思われる画像特徴部分を有するフレーム画像に変更することができる。また主制御部１０は、動画像を示す代表画像（及びサムネイル画像）についても、録画番組の場合と同様に変更することができる。
【０１３１】
ところで、主制御部１０は、例えば、装置内部に記録用ディスクが装填された状態で、ユーザによりリモコンＲＭを介してディスク記録モードが選択されると、ハードディスクドライブ１２から属性情報を、バス１１を介して読み出す。
【０１３２】
また主制御部１０は、属性情報に基づき、この時点までに録画された録画番組や、この時点までに取得された動画像及び写真画像の中から、記録対象の録画番組、動画像及び写真画像を選択するための選択画面データを生成する。そして主制御部１０は、その選択画面データを表示用にバス１１を介してメモリ３９に送出して一時記憶する。
【０１３３】
ＧＵＩ重畳器２５は、このとき主制御部１０の制御のもと、メモリ３９から選択画面データを読み出して選択画面信号を生成する。またＧＵＩ重畳器２５は、その選択画面信号を、ＴＶ接続端子２６を介して外部のテレビジョン受像機２７に送出する。
【０１３４】
これによりＧＵＩ重畳器２５は、テレビジョン受像機２７のディスプレイに選択画面信号に基づき選択画面（図示せず）を表示する。この場合、選択画面内には、番組タイトルや動画タイトル、写真タイトルと共に、これらに対応付けて録画番組や動画像、写真画像を示すサムネイル画像が配置されている。
【０１３５】
よって主制御部１０は、ユーザに対し選択画面内の番組タイトル、動画タイトル、写真タイトル及びサムネイル画像により、この時点までに録画された録画番組や、この時点までに取得された動画像及び写真画像を提示することができる。そして主制御部１０は、ユーザに対しリモコンＲＭを介して選択画面上で記録対象の録画番組や動画像、写真画像を選択させることができる。
【０１３６】
実際に主制御部１０は、選択画面上で記録対象の録画番組が選択されると、ハードディスクドライブ１２から当該選択された録画番組の番組データを、その番組データの属性情報と共にバス１１を介して読み出す。そして主制御部１０は、録画番組の番組データを属性情報と共に、バス１１を介して装置内部のドライブ制御部４７に送出する。
【０１３７】
この際、ドライブ制御部４７は、装置内部のドライブ４８を駆動制御して記録用ディスクに、その番組データと属性情報とを関連付けて記録する。これにより主制御部１０は、装置内部に装填された記録用ディスクに、録画番組（番組データ）を記録し得るようになされている。
【０１３８】
また主制御部１０は、選択画面上で記録対象の動画像が選択されると、ハードディスクドライブ１２から当該選択された動画像の動画像データを、その動画像データの属性情報と共にバス１１を介して読み出す。そして主制御部１０は、動画像データを属性情報と共に、バス１１を介して装置内部のドライブ制御部４７に送出する。
【０１３９】
この際、ドライブ制御部４７は、装置内部のドライブ４８を駆動制御して記録用ディスクに、その動画像データと属性情報とを関連付けて記録する。これにより主制御部１０は、装置内部に装填された記録用ディスクに、外部から取得していた動画像（動画像データ）を記録することもできる。
【０１４０】
さらに主制御部１０は、選択画面上で記録対象の写真画像が選択されると、ハードディスクドライブ１２から当該選択された写真画像の写真画像データを、その写真画像データの属性情報と共にバス１１を介して読み出す。そして主制御部１０は、写真画像データを属性情報と共に、バス１１を介して装置内部のドライブ制御部４７に送出する。
【０１４１】
この際、ドライブ制御部４７は、装置内部のドライブ４８を駆動制御して記録用ディスクに、その写真画像データと属性情報とを関連付けて記録する。これにより主制御部１０は、装置内部に装填された記録用ディスクに、外部から取得していた写真画像（写真画像データ）も記録することができる。
【０１４２】
このようにして主制御部１０は、ユーザの指示に応じて、記録用ディスクに１又は複数の録画番組（番組データ）、１又は複数の動画像（動画像データ）、１又は複数の写真画像（写真画像データ）の何れか１種類のみを記録することができる。
【０１４３】
また主制御部１０は、ユーザの指示に応じて、記録用ディスクに１又は複数の録画番組（番組データ）、１又は複数の動画像（動画像データ）、１又は複数の写真画像（写真画像データ）を２種類以上、混在させて記録することもできる。
【０１４４】
さらに主制御部１０は、すでに録画番組や動画像、写真画像を記録して装置内部から外部に排出した記録用ディスクでも、例えば、データ未記録領域が残っていると、後で装置内部に再び装填させて、録画番組、動画像、写真画像を追加で記録することもできる。
【０１４５】
主制御部１０は、装置内部に、録画番組や動画像、写真画像の記録された記録用ディスクが装填された状態で、ユーザによりリモコンＲＭを介してディスク再生モードが選択されると、ドライブ制御部４７を介してドライブ４８を駆動制御する。これにより主制御部１０は、ドライブ制御部４７及びドライブ４８を順次介して記録用ディスクから、これに記録している全ての属性情報を読み出す。
【０１４６】
そして主制御部１０は、例えば、属性情報に基づき、記録用ディスクに記録されている全ての録画番組、動画像及び写真画像を提示するための提示画面データを生成する。そして主制御部１０は、その提示画面データを表示用にバス１１を介してメモリ３９に送出して一時記憶する。
【０１４７】
ＧＵＩ重畳器２５は、このとき主制御部１０の制御のもと、メモリ３９から提示画面データを読み出して提示画面信号を生成する。またＧＵＩ重畳器２５は、その提示画面信号を、ＴＶ接続端子２６を介して外部のテレビジョン受像機２７に送出する。
【０１４８】
これによりＧＵＩ重畳器２５は、テレビジョン受像機２７においてディスプレイに提示画面信号に基づき提示画面（図示せず）を表示する。この場合、提示画面内には、番組タイトルや動画タイトル、写真タイトルと共に、これらに対応付けて録画番組や動画像、写真画像を示すサムネイル画像が配置されている。
【０１４９】
よって主制御部１０は、ユーザに対し提示画面内の番組タイトル、動画タイトル、写真タイトル及びサムネイル画像により、記録用ディスクに記録されている全ての録画番組、動画像及び写真画像を提示することができる。そして主制御部１０は、ユーザに対しリモコンＲＭを介して提示画面上で再生対象の録画番組や動画像、写真画像を選択させることができる。
【０１５０】
主制御部１０は、ユーザによりリモコンＲＭを介して提示画面上で再生対象の録画番組が選択され、再生命令が入力されると、これに応じてドライブ制御部４７を制御する。これによりドライブ制御部４７は、ドライブ４８を駆動制御して記録用ディスクから、ユーザにより選択された録画番組の番組データを読み出す。そしてドライブ制御部４７は、その番組データを、バス１１及びストリームバッファ２２を順次介してデマルチプレクサ２３に送出する。
【０１５１】
デマルチプレクサ２３は、この際、上述と同様に番組データを映像データと音声データとに分離してＡＶデコーダ２４に送出する。またＡＶデコーダ２４は、上述と同様に映像データ及び音声データに基づき映像信号及び音声信号を生成する。そしてＡＶデコーダ２４は、その映像信号をＧＵＩ重畳器２５に送出する。
【０１５２】
ＧＵＩ重畳器２５は、映像信号にグラフィックス信号を適宜重畳し、ＴＶ接続端子２６を介して外部のテレビジョン受像機２７に送出する。またＡＶデコーダ２４は、このとき音声信号を、ＴＶ接続端子２６を介してテレビジョン受像機２７に送出する。
【０１５３】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、記録用ディスクに記録していた録画番組を視聴させることができる。
【０１５４】
また主制御部１０は、ユーザによりリモコンＲＭを介して提示画面上で再生対象の動画像が選択され、再生命令が入力されると、これに応じてドライブ制御部４７を制御する。
【０１５５】
これによりドライブ制御部４７は、ドライブ４８を駆動制御して記録用ディスクから、ユーザにより選択された動画像の動画像データを読み出す。そしてドライブ制御部４７は、その動画像データを、バス１１及びストリームバッファ２２を順次介してデマルチプレクサ２３に送出する。
【０１５６】
デマルチプレクサ２３は、この際、上述と同様に動画像データを映像データと音声データとに分離してＡＶデコーダ２４に送出する。またＡＶデコーダ２４は、上述と同様に映像データ及び音声データに基づき映像信号及び音声信号を生成する。そしてＡＶデコーダ２４は、その映像信号をＧＵＩ重畳器２５に送出する。
【０１５７】
ＧＵＩ重畳器２５は、映像信号にグラフィックス信号を重畳し、ＴＶ接続端子２６を介して外部のテレビジョン受像機２７に送出する。またＡＶデコーダ２４は、このとき音声信号を、ＴＶ接続端子２６を介してテレビジョン受像機２７に送出する。
【０１５８】
これにより主制御部１０は、テレビジョン受像機２７においてディスプレイに映像信号に基づく映像を表示させると共に、その映像の表示に合せてスピーカから音声信号に基づく音声を出力させる。このようにして主制御部１０は、記録用ディスクに記録していた動画像を視聴させることができる。
【０１５９】
さらに主制御部１０は、ユーザによりリモコンＲＭを介して提示画面上で再生対象の写真画像が選択され、再生命令が入力されると、これに応じてドライブ制御部４７を制御する。
【０１６０】
これによりドライブ制御部４７は、ドライブ４８を駆動制御して記録用ディスクから、ユーザにより選択された写真画像の写真画像データを読み出す。そしてドライブ制御部４７は、その写真画像データを、バス１１及びストリームバッファ２２を順次介してＪＰＥＧデコーダ４６に送出する。
【０１６１】
ＪＰＥＧデコーダ４６は、この際、上述と同様に写真画像データに基づき写真画像信号を生成し、ＧＵＩ重畳器２５に送出する。ＧＵＩ重畳器２５は、この際、上述と同様に写真画像信号にグラフィックス信号を重畳し、ＴＶ接続端子２６を介してテレビジョン受像機２７に送出する。
【０１６２】
これにより主制御部１０は、テレビジョン受像機２７のディスプレイに写真画像信号に基づく写真画像を表示させる。このようにして主制御部１０は、記録用ディスクに記録していた写真画像を見せることもできる。
【０１６３】
ところで、主制御部１０は、装置内部に、録画番組や動画像、写真画像の記録された記録用ディスクが装填された状態で、ユーザによりリモコンＲＭを介して印刷モードが選択されると、ドライブ制御部４７を介してドライブ４８を駆動制御する。
【０１６４】
これにより主制御部１０は、ドライブ制御部４７及びドライブ４８を順次介して記録用ディスクから、これに記録している全ての属性情報を読み出す。この際、主制御部１０は、その属性情報の中から最大でも、予め選定された上限の個数（１以上の個数で、例えば、３個）の属性情報を選択する。
【０１６５】
このようにして主制御部１０は、記録用ディスクに記録されている全ての録画番組、動画像、写真画像の中から、印刷処理に利用する録画番組、動画像、写真画像を属性情報として選択する。
【０１６６】
そして主制御部１０は、記録用ディスクから、その選択した属性情報に対応する番組データ、動画像データ、写真画像データを読み出す。このとき主制御部１０は、記録用ディスクから写真画像の写真画像データを読み出すと、当該読み出した写真画像データをデコード（すなわち、復号）して、印刷処理に利用する代表画像データ（すなわち、写真画像を示す代表画像の代表画像データ）とする。
【０１６７】
また主制御部１０は、このとき記録用ディスクから録画番組の番組データを読み出すと、当該番組データから映像データを分離する。そして主制御部１０は、その映像データをデコード（すなわち、復号）すると共に、当該デコードした映像データから、属性情報内の代表画像識別情報で識別される代表画像データ（すなわち、フレーム画像データ）を取り出す。
【０１６８】
さらに主制御部１０は、このとき記録用ディスクから動画像の動画像データを読み出すと、当該動画像データから映像データを分離する。また主制御部１０は、その映像データをデコード（すなわち、復号）すると共に、当該デコードした映像データから、属性情報内の代表画像識別情報で識別される代表画像データ（すなわち、フレーム画像データ）を取り出す。
【０１６９】
このようにして主制御部１０は、記録用ディスクに記録されている録画番組、動画像、写真画像を示す１又は複数の代表画像の代表画像データを得ると、代表画像データに基づき印刷画像を生成する。また主制御部１０は、その印刷画像をディスク一面に印刷するための印刷データを生成する。そして主制御部１０は、その印刷データを、バス１１を介して装置内部のプリンタ制御部４９に送出する。
【０１７０】
この際、プリンタ制御部４９は、印刷データに基づいて、装置内部のプリンタ５０を駆動制御して、記録用ディスクの一面に印刷画像を印刷する。これにより主制御部１０は、装置内部から記録用ディスクが取り出されても、ディスク一面に印刷した印刷画像により、記録用ディスクに記録されている録画番組、動画像、写真画像の少なくとも１つ以上を確認させることができる。
【０１７１】
因みに、主制御部１０は、番組の録画時や番組及び動画像の再生時等には、録画時間や再生時間等のように、番組録画装置１の動作状況を通知するための状況通知データを生成する。そして主制御部１０は、その状況通知データを、バス１１を介して表示制御部５２に送出する。
【０１７２】
これにより表示制御部５２は、表示部３に状況通知データに基づき状況通知情報を表示する。このようにして主制御部１０は、ユーザに対し表示部３を介して番組録画装置１の動作状況を通知することができる。
【０１７３】
［１−３  記録用ディスクのディスク一面への印刷画像の印刷処理］
次いで、図３を用いて、主制御部１０が、番組データや動画像データ、写真画像データの記録された記録用ディスクのディスク一面に印刷画像を印刷する印刷処理について説明する。ただし主制御部１０は、この際、印刷プログラムに従って各種処理を実行して各種機能を実現している。
【０１７４】
よって、以下には、主制御部１０が印刷プログラムに従って実現する各種機能を、便宜上、機能回路ブロックとし、当該主制御部１０が実行する各種処理を、その機能回路ブロックが実行する処理として説明する。
【０１７５】
因みに、以下の説明では、記録用ディスクに記録された番組データ、動画像データ、写真画像データを特に区別する必要のない場合、これら番組データ、動画像データ、写真画像データをまとめてコンテンツデータとも呼ぶ。
【０１７６】
また、以下の説明では、番組データに基づく録画番組、動画像データに基づく動画像、写真画像データに基づく写真画像を特に区別する必要のない場合、これら録画番組、動画像、写真画像をまとめてコンテンツとも呼ぶ。
【０１７７】
番組情報取出部１０Ａは、メモリ３６から放送関連データを、バス１１を介して読み出す。そして番組情報取出部１０Ａは、上述のように、その放送関連データから、これに含まれるＰＳＩ／ＳＩに基づき番組毎の番組情報を取り出して、ＥＰＧ生成部１０Ｂに送出する。
【０１７８】
ＥＰＧ生成部１０Ｂは、番組情報取出部１０Ａから与えられた番組毎の番組情報に基づきデジタル系放送の電子番組案内情報を生成する。またＥＰＧ生成部１０Ｂは、メモリ３６から番組毎の番組情報データを、バス１１を介して読み出すと共に、その番組情報データに基づきアナログ系放送の電子番組案内情報を生成する。そしてＥＰＧ生成部１０Ｂは、これら電子番組案内情報をＨＤＤ（Hard  Disc  Drive）制御部１０Ｃに送出する。
【０１７９】
ＨＤＤ制御部１０Ｃは、種々のデータや各種情報を、バス１１を介してハードディスクドライブ１２に送出して記憶する。またＨＤＤ制御部１０Ｃは、ハードディスクドライブ１２から種々のデータや各種情報を、バス１１を介して読み出すようになされている。
【０１８０】
よってＨＤＤ制御部１０Ｃは、ＥＰＧ生成部１０Ｂからデジタル系放送やアナログ系放送の電子番組案内情報が与えられると、その電子番組案内情報を、バス１を介してハードディスクドライブ１２に送出して記憶する。
【０１８１】
ファイル展開部１０Ｄは、ネットワーク機器から送信された所定フォーマットの動画像データや写真画像データを、ネットワーク端子４４、ネットワークコントローラ４５及びバス１１を順次介して取り込む。またファイル展開部１０Ｄは、その動画像データや写真画像データを一旦デコード（復号）して番組録画装置１で扱えるフォーマットに変換する。
【０１８２】
そしてファイル展開部１０Ｄは、そのフォーマットを変換した動画像データや写真画像データをＨＤＤ制御部１０Ｃに送出する。これによりＨＤＤ制御部１０Ｃは、ネットワーク機器から送信された動画像データや写真画像データを、バス１１を介してハードディスクドライブ１２に送出して記憶する。
【０１８３】
ディスク制御部１０Ｅは、ドライブ制御部４７を介してドライブ４８を駆動制御して、種々のデータや各種情報を記録用ディスクに記録し、また当該記録用ディスクから種々のデータや各種情報を読み出すようになされている。
【０１８４】
よってディスク制御部１０Ｅは、ＨＤＤ制御部１０Ｃによりハードディスクドライブ１２から読み出されたコンテンツデータと属性情報とを、ドライブ制御部４７及びドライブ４８を順次介して記録用ディスクに記録する。
【０１８５】
またディスク制御部１０Ｅは、記録用ディスクから属性情報を、ドライブ制御部４７及びドライブ４８を順次介して読み出して、画面生成制御部１０Ｆに送出する。さらにディスク制御部１０Ｅは、記録用ディスクからコンテンツデータを、ドライブ制御部４７及びドライブ４８を順次介して読み出し、バス１１を介してストリームバッファ２２に送出する。
【０１８６】
画面生成制御部１０Ｆは、リモコンＲＭのユーザ操作等に応じて、ＨＤＤ制御部１０Ｃを介してハードディスクドライブ１２から電子番組案内情報や属性情報等を読み出し、その電子番組案内情報や属性情報等を画面データ生成部１０Ｇに送出する。
【０１８７】
また画面生成制御部１０Ｆは、リモコンＲＭのユーザ操作等に応じて、ディスク制御部１０Ｅを介して記録用ディスクから属性情報を読み出し、その属性情報等を画面データ生成部１０Ｇに送出する。
【０１８８】
画面データ生成部１０Ｇは、画面生成制御部１０Ｆから与えられた電子番組案内情報や属性情報等をもとに、上述した番組表画面データや通知画面データ、選択画面データ、提示画面データ等を生成する。
【０１８９】
そして画面データ生成部１０Ｇは、その番組表画面データや通知画面データ、選択画面データ、提示画面データ等を表示用にバス１１を介してメモリ３９に送出して一時記憶する。このようにして画面生成制御部１０Ｆは、画面データ生成部１０Ｇを介してテレビジョン受像機２７のディスプレイに番組表画面や通知画面等を表示させることができる。
【０１９０】
ところで、画面生成制御部１０Ｆは、装置内部に、コンテンツデータの記録された記録用ディスクが装填された状態で、ユーザによりリモコンＲＭを介して印刷モードが選択されると、印刷モードに移行する。そして画面生成制御部１０Ｆは、印刷モードに移行したことを代表画像取得部１０Ｈに通知する。
【０１９１】
代表画像取得部１０Ｈは、印刷モードへの移行が通知されると、これに応じてディスク制御部１０Ｅに属性情報の読み出しを要求する。これによりディスク制御部１０Ｅは、ドライブ制御部４７を介してドライブ４８を駆動制御して記録用ディスクから、これに記録されている全ての属性情報を読み出して代表画像取得部１０Ｈに送出する。
【０１９２】
代表画像取得部１０Ｈは、ディスク制御部１０Ｅから属性情報が与えられると、その個数に応じて、当該属性情報の中から最大でも予め選定された上限の個数（１以上の個数で、例えば、３個）の属性情報を選択する。すなわち、代表画像取得部１０Ｈは、このとき記録用ディスクから読み出された属性情報の総数が上限の個数以下であると、その属性情報を全て選択する。
【０１９３】
また代表画像取得部１０Ｈは、このとき記録用ディスクから読み出された属性情報の総数が上述の上限の個数よりも多いと、当該記録用ディスクから読み出された全ての属性情報の中から、上限の個数の属性情報を無作為に選択する。
【０１９４】
そして代表画像取得部１０Ｈは、このようにして印刷処理に用いるコンテンツデータを属性情報として選択すると、ディスク制御部１０Ｅに、当該選択した属性情報を通知する。
【０１９５】
これによりディスク制御部１０Ｅは、ドライブ制御部４７を介してドライブ４８を駆動制御して記録用ディスクから、その通知された属性情報に対応するコンテンツデータを読み出して代表画像取得部１０Ｈに送出する。
【０１９６】
代表画像取得部１０Ｈは、ディスク制御部１０Ｅからコンテンツデータが与えられると、属性情報を適宜用いて代表画像データを取得する。すなわち、代表画像取得部１０Ｈは、このとき写真画像データの属性情報を選択すると、これに応じて記録用ディスクから読み出された写真画像データをデコード（すなわち、復号）する。そして代表画像取得部１０Ｈは、そのデコードした写真画像データを、写真画像を示す代表画像の代表画像データとする。
【０１９７】
また代表画像取得部１０Ｈは、このとき番組データの属性情報を選択すると、これに応じて記録用ディスクから読み出された番組データから映像データを分離すると共に、その映像データをデコード（すなわち、復号）する。
【０１９８】
そして代表画像取得部１０Ｈは、そのデコードした映像データから、属性情報内の代表画像識別情報で識別されるフレーム画像データを取り出して、当該取り出したフレーム画像データを、録画番組を示す代表画像の代表画像データとする。
【０１９９】
さらに代表画像取得部１０Ｈは、このとき動画像データの属性情報を選択すると、これに応じて記録用ディスクから読み出された動画像データから映像データを分離すると共に、その映像データをデコード（すなわち、復号）する。
【０２００】
そして代表画像取得部１０Ｈは、そのデコードした映像データから、属性情報内の代表画像識別情報で識別されるフレーム画像データを取り出して、当該取り出したフレーム画像データを、動画像を示す代表画像の代表画像データとする。このようにして代表画像取得部１０Ｈは、１又は複数の代表画像データを取得すると、当該取得した代表画像データを属性情報と共に画像解析部１０Ｊに送出する。
【０２０１】
ここで、代表画像データに基づく代表画像は、例えば、長方形状に形成されている。因みに、以下の説明では、長方形状の代表画像において、当該代表画像の短辺と平行な画像垂直方向を、画像縦方向とも呼ぶ。そして、以下の説明では、代表画像において画像縦方向の一端を、上端とも呼び、当該画像縦方向の他端を、下端とも呼ぶ。
【０２０２】
また、以下の説明では、長方形状の代表画像において、当該代表画像の長辺と平行な画像水平方向を、画像横方向とも呼ぶ。そして、以下の説明では、代表画像において画像横方向の一端を、左端とも呼び、当該画像横方向の他端を、右端とも呼ぶ。
【０２０３】
この代表画像としては、例えば、山の稜線や横一列に並んだ複数の人物、列車、高層建築物等のように一方向に長い画像特徴部分が、当該一方向を画像横方向や画像縦方向にして描かれているものがある。
【０２０４】
また代表画像としては、例えば、乗用車や船、置物、昆虫等のように、画像横方向及び画像縦方向のような何れの方向にも短く、一箇所にまとまっているような画像特徴部分が、当該代表画像の中央のように所定箇所に描かれているものもある。
【０２０５】
そして、このような代表画像のうち写真画像を示す代表画像は、デジタル撮影機器により被写体を写真撮影して生成された写真画像そのものであり、本来が被写体を画像特徴部分として、より良く見せるために生成されたものでもある。
【０２０６】
すなわち、写真画像を示す代表画像は、比較的少ない種類の色で表現される空や壁、芝生等を背景部分とし、その背景部分よりも多種多様な色で表現される画像特徴部分を有することで、当該画像特徴部分が明確に視認可能なように生成される傾向にある。
【０２０７】
また録画番組や動画像を示す代表画像は、上述のようにユーザによって、その録画番組や動画像を的確に示す画像特徴部分を有するものとして選定されている。すなわち録画番組や動画像を示す代表画像としては、比較的少ない種類の色で表現される空や壁、芝生等を背景部分とし、背景部分より多種多様な色で表現される画像特徴部分を有するものが、当該画像特徴部分を明確に視認可能なものとして選定される傾向にある。
【０２０８】
このため画像解析部１０Ｊは、以下に詳述するように、例えば、各画素の色（ＲＧＢ（Red-Green-Blue））に基づいて代表画像を解析し、その解析結果に基づいて当該代表画像から画像特徴部分が描かれている領域を切り出すようになされている。
【０２０９】
ただし、代表画像取得部１０Ｈは、記録用ディスクにコンテンツデータが１つだけ（番組データ、動画像データ、写真画像データの何れか１つだけが）記録されていると、１つの代表画像データを取得して画像解析部１０Ｊに与える。
【０２１０】
また代表画像取得部１０Ｈは、記録用ディスクにコンテンツデータ（番組データ、動画像データ、写真画像データ）が２つ以上記録されていると、最大でも上限の個数となる複数の代表画像データを取得して画像解析部１０Ｊに与える。
【０２１１】
よって以下には、まず代表画像取得部１０Ｈより１つの代表画像データが取得された１画像取得時、画像解析部１０Ｊに、当該代表画像取得部１０Ｈから１つの代表画像データが属性情報と共に与えられた場合について説明する。
【０２１２】
次いで、代表画像取得部１０Ｈにより複数（最大でも上限の個数）の代表画像データが取得された複数画像取得時、画像解析部１０Ｊに、当該代表画像取得部１０Ｈから複数の代表画像データが属性情報と共に与えられた場合について説明する。
【０２１３】
画像解析部１０Ｊは、１画像取得時、１つの代表画像データが与えられると、当該代表画像データに基づく代表画像を解析して、その代表画像から画像横方向に長い画像特徴部分の描かれた領域を特徴描写画像として切り出すための第１の解析切出処理を実行する。因みに、以下の説明では、代表画像において一方向としての画像横方向に長い画像特徴部分を、横長特徴部分とも呼ぶ。
【０２１４】
この場合、図４に示すように、画像解析部１０Ｊは、代表画像データに基づく代表画像６０を、上端から下端にかけて順次、画像横方向と平行な帯状の解析領域（すなわち、横長な解析領域）６０Ａに区切る。
【０２１５】
因みに、横長な各解析領域６０Ａは、それぞれ代表画像６０の左端から右端までの長さを有し、画像縦方向の幅が等しく選定されている。また代表画像６０を区切る横長な解析領域６０Ａの個数は、予め任意に選定されている。
【０２１６】
画像解析部１０Ｊは、このとき横長特徴部分が描かれた代表画像６０を横長な解析領域６０Ａで区切っていると、背景部分が多く描かれた解析領域６０Ａと、画像特徴部分が多く描かれた解析領域６０Ａとを得ることができる。
【０２１７】
この際、解析領域６０Ａは、横長特徴部分がほとんど描かれずに、背景部分が多く描かれていると、その背景部分を表現する各色（種類は少ない）の画素がそれぞれ多く、横長特徴部分を表現する各色（種類は多い）の画素がそれぞれ少ない傾向にある。
【０２１８】
また解析領域６０Ａは、背景部分よりも横長特徴部分が多く描かれていると、横長特徴部分を表現する各色（種類は多い）の画素それぞれが、背景部分を表現する各色（種類は少ない）の画素それぞれと同じくらい、又はそれ以上存在する傾向にある。
【０２１９】
一方、画像解析部１０Ｊは、このとき画像縦方向に長い画像特徴部分が描かれた代表画像を横長な解析領域６０Ａで区切っていると、画像特徴部分の一部分が描かれると共に、背景部分が画像特徴部分よりも格段的に多く描かれた解析領域６０Ａを得ることになる。因みに、以下の説明では、代表画像において一方向としての画像縦方向に長い画像特徴部分を、縦長特徴部分とも呼ぶ。
【０２２０】
この際、各解析領域６０Ａは、背景部分を表現する各色（種類は少ない）の画素がそれぞれ多く、縦長特徴部分を表現する各色（種類は多い）の画素がそれぞれ少ない傾向にある。
【０２２１】
また画像解析部１０Ｊは、このとき何れの方向にも短い画像特徴部分が描かれた代表画像を横長な解析領域６０Ａで区切っていると、この場合も画像特徴部分の一部分が描かれ、背景部分が画像特徴部分よりも格段的に多く描かれた解析領域６０Ａを得ることになる。因みに、以下の説明では、代表画像の画像横方向及び画像縦方向のような何れの方向にも短い画像特徴部分を、縦横短特徴部分とも呼ぶ。
【０２２２】
そして、この際も解析領域６０Ａは、背景部分を表現する各色（種類は少ない）の画素がそれぞれ多く、縦横短特徴部分を表現する各色（種類は多い）の画素がそれぞれ少ない傾向にある。
【０２２３】
このため画像解析部１０Ｊは、例えば、解析領域６０Ａ毎に、0乃至255の256階調で表現される個々のＲ（赤）の値の画素の画素数を検出する。また画像解析部１０Ｊは、解析領域６０Ａ毎に、0乃至255の256階調で表現される個々のＧ（緑）の値の画素の画素数も検出する。さらに画像解析部１０Ｊは、解析領域６０Ａ毎に、0乃至255の256階調で表現される個々のＢ（青）の値の画素の画素数も検出する。
【０２２４】
そして図５に示すように、画像解析部１０Ｊは、解析領域６０Ａ毎に、横軸をＲ、Ｇ、Ｂの値とし、Ｒ、Ｇ、Ｂ毎に求めた画素数を、これらの中の最も多い画素数を縦軸の最大値（例えば、１）として正規化して表すＲＧＢヒストグラムを生成する。
【０２２５】
これにより画像解析部１０Ｊは、背景部分が多く描かれている解析領域６０Ａからは、背景部分を表現する各色の画素が多く、画像特徴部分を表現する各色の画素がほとんどないように見えるＲＧＢヒストグラムを得る。
【０２２６】
また画像解析部１０Ｊは、画像特徴部分が多く描かれた解析領域６０Ａからは、背景部分を表現する各色の画素よりも、画像特徴部分を表現する各色の画素が全体的に多く見えるようなＲＧＢヒストグラムを得る。
【０２２７】
ただし、代表画像は、上述のように背景部分を表現する色の種類が少なく、画像特徴部分を表現する色の種類が格段的に多い傾向にある。このためＲＧＢヒストグラムについては、背景部分が多く描かれた解析領域６０Ａに基づいて生成されるよりも、横長特徴部分が多く描かれた解析領域６０Ａに基づいて生成されると、より多くの画素が検出されていることを表す。
【０２２８】
よって画像解析部１０Ｊは、解析領域６０Ａ毎に、ＲＧＢヒストグラムにおいてＲの個々の値の画素の画素数を表す関数を積分して、その関数と横軸とで囲まれる当該画素数の集合領域の面積（積分値）を求める。
【０２２９】
また画像解析部１０Ｊは、解析領域６０Ａ毎に、ＲＧＢヒストグラムにおいてＧの個々の値の画素の画素数を表す関数についても積分して、その関数と横軸とで囲まれる当該画素数の集合領域の面積（積分値）を求める。
【０２３０】
さらに画像解析部１０Ｊは、解析領域６０Ａ毎に、ＲＧＢヒストグラムにおいてＢの個々の値の画素の画素数を表す関数を積分して、その関数と横軸とで囲まれる当該画素数の集合領域の面積（積分値）を求める。さらにまた画像解析部１０Ｊは、解析領域６０Ａ毎に、ＲＧＢヒストグラムで求めたＲ、Ｇ、Ｂ各々の集合領域の面積を加算して合計面積を算出する。
【０２３１】
ここで、背景部分が多く描かれた解析領域６０ＡのＲＧＢヒストグラムについては、背景部分を表現する各色の画素が多いものの、画像特徴部分を表現する各色の画素の画素数がほとんどないため、合計面積が比較的小さくなる。
【０２３２】
これに対して画像特徴部分が多く描かれた解析領域６０ＡのＲＧＢヒストグラムについては、背景部分を表現する各色の画素と、画像特徴部分を表現する各色の画素とが共に多いため、合計面積が比較的大きくなる。
【０２３３】
このため画像解析部１０Ｊは、解析領域６０Ａ毎に算出した合計面積それぞれを、予め選定された所定の第１のしきい値と比較する。因みに、第１のしきい値は、背景部分が多く描かれた解析領域６０Ａと、横長特徴部分が多く描かれた解析領域６０Ａとを区別し得るように適宜選定されている。
【０２３４】
これにより画像解析部１０Ｊは、第１のしきい値以上の合計面積を得た解析領域６０Ａを、横長特徴部分の一部が描かれた特徴領域６０Ａとして検出する。また画像解析部１０Ｊは、特徴領域６０Ａの中で、順次隣接する２つ以上の特徴領域６０Ａを合せて領域隣接箇所として検出する。
【０２３５】
その結果、図６に示すように、画像解析部１０Ｊは、代表画像６０に領域隣接箇所が一箇所だけ存在すると、当該代表画像６０から、その領域隣接箇所を、横長特徴部分が描かれた特徴描写領域６１として切り出す。
【０２３６】
因みに、画像解析部１０Ｊは、代表画像に領域隣接箇所が二箇所以上存在すると、所定の切出条件に従い、例えば、代表画像から、その画像中心にかかる、又は最も画像中心に近い１つの領域隣接箇所を特徴描写領域として切り出す。
【０２３７】
図７に示すように、画像解析部１０Ｊは、このようにして１つの特徴描写領域６１を得ると、当該特徴描写領域６１において、例えば、左端を直交座標系のＸ軸、下端を直交座標系のＹ軸として、左下隅の画素の位置を直交座標系の原点（Ｘ０，Ｙ０）とする。
【０２３８】
これにより画像解析部１０Ｊは、特徴描写領域６１の各画素の位置を直交座標系の座標で示すようにする。因みに、特徴描写領域６１では、この際、右下隅の画素の位置を座標（Ｘａ，Ｙ０）と表し、左上隅の画素の位置を座標（Ｘ０，Ｙｂ）と表し、右上隅の画素の位置を座標（Ｘａ，Ｙｂ）と表す。
【０２３９】
また画像解析部１０Ｊは、特徴描写領域６１において中央部を除く左端部及び右端部に、当該中央部よりも狭い幅で、これら左端部と右端部とを比較するための比較領域６１Ａ及び６１Ｂを設定する。
【０２４０】
因みに、以下の説明では、特徴描写領域６１の左端部の比較領域６１Ａを、左比較領域６１Ａとも呼び、当該特徴描写領域６１の右端部の比較領域６１Ｂを、右比較領域６１Ｂとも呼ぶ。
【０２４１】
そして左比較領域６１Ａは、特徴描写領域６１の左端から、わずかに右端側の（１）式
【０２４２】
【数１】
2010277647.tif 000003
【０２４３】
で表されるＹ軸（画像横方向）と平行な直線上に位置する（すなわち、Ｘ座標がＸｃで、Ｙ座標がＹ０乃至Ｙｂの位置）の各画素までの領域である。
【０２４４】
また右比較領域６１Ｂは、特徴描写領域６１の右端から、わずかに左端側の（２）式
【０２４５】
【数２】
2010277647.tif 000004
【０２４６】
で表されるＹ軸（画像横方向）と平行な直線上に位置する（すなわち、Ｘ座標がＸｄで、Ｙ座標がＹ０乃至Ｙｂの位置）の各画素までの領域である。因みに、以下の説明では、特徴描写領域６１においてＹ軸と平行な（すなわち、上端から下端までの）直線上の画素の並びを行とも呼ぶ。
【０２４７】
この状態で画像解析部１０Ｊは、左比較領域６１Ａの個々の行と、右比較領域６１Ｂの個々の行とを総当たりで比較する。実際に画像解析部１０Ｊは、このとき左比較領域６１Ａの個々の画素のＲの値をｒ（ｘ１，ｙ）とし、Ｇの値をｇ（ｘ１，ｙ）とし、Ｂの値をｂ（ｘ１，ｙ）として、行毎の各画素の値をＰ１とした場合、当該行毎の各画素の値を、（３）式
【０２４８】
【数３】
2010277647.tif 000005
【０２４９】
で表されるように、Ｒの値、Ｇの値及びＢの値をそれぞれ２乗して加算した結果の平方根を算出して求めるようにする。
【０２５０】
また画像解析部１０Ｊは、右比較領域６１Ｂの個々の画素のＲの値をｒ（ｘ２，ｙ）とし、Ｇの値をｇ（ｘ２，ｙ）とし、Ｂの値をｂ（ｘ２，ｙ）として、行毎の各画素の値をＰ２とした場合、当該行毎の各画素の値を、（４）式
【０２５１】
【数４】
2010277647.tif 000006
【０２５２】
で表されるように、Ｒの値、Ｇの値及びＢの値をそれぞれ２乗して加算した結果の平方根を算出して求めるようにする。
【０２５３】
さらに画像解析部１０Ｊは、左比較領域６１Ａの行毎の各画素の値と、右比較領域６１Ｂの行毎の対応する各画素（すなわち、互いにＹ座標が同じ画素）の値との差分値の合計（以下、これを差分合計値とも呼ぶ）をＳ１として、当該差分合計値を、（５）式
【０２５４】
【数５】
2010277647.tif 000007
【０２５５】
で表されるように、左比較領域６１Ａの行毎の各画素の値と、右比較領域６１Ｂの行毎の対応する各画素の値との差分の合計の絶対値として算出する。
【０２５６】
そして画像解析部１０Ｊは、左比較領域６１Ａの個々の行と、右比較領域６１Ｂの個々の行との総当たりで算出した差分合計値を、当該左比較領域６１Ａの個々の行と右比較領域６１Ｂの個々の行とがどの程度類似しているのかを表す指標として用いる。
【０２５７】
すなわち、左比較領域６１Ａの行と右比較領域６１Ｂの行とは、より大きな差分合計値を得るほど、互いに各画素により１行として表現する色の並びや色合いが異なり、類似の程度が低いと言える。
【０２５８】
また左比較領域６１Ａの行と右比較領域６１Ｂの行とは、より小さな差分合計値を得るほど、互いに各画素により１行として表現する色の並びや色合いが似ていて、類似の程度が高いと言える。
【０２５９】
よって図８に示すように、画像解析部１０Ｊは、左比較領域６１Ａの１行と、右比較領域６１Ｂの１行との種々の組み合わせのうち、最も小さい差分合計値を得た１組の左比較領域６１Ａの１行６１ＡＸと、右比較領域６１Ｂの１行６１ＢＸとを選定する。
【０２６０】
因みに、以下の説明では、各差分合計値のうち最も小さい差分合計値を、最小差分合計値とも呼ぶ。また、以下の説明では、最小差分合計値を得た１組の左比較領域６１Ａの１行６１ＡＸと、右比較領域６１Ｂの１行６１ＢＸとのうち、当該左比較領域６１Ａで選定した１行６１ＡＸを、左選定行６１ＡＸとも呼ぶ。
【０２６１】
さらに、以下の説明では、最小差分合計値を得た１組の左比較領域６１Ａの１行６１ＡＸと、右比較領域６１Ｂの１行６１ＢＸとのうち、当該右比較領域６１Ｂで選定した１行６１ＢＸを、右選定行６１ＢＸとも呼ぶ。
【０２６２】
そして画像解析部１０Ｊは、特徴描写領域６１において左比較領域６１Ａから左選定行６１ＡＸよりも左端側の部分を切り捨てる。また画像解析部１０Ｊは、特徴描写領域６１において右比較領域６１Ｂから右選定行６１ＢＸよりも右端側の部分を切り捨てる。
【０２６３】
すなわち、画像解析部１０Ｊは、特徴描写領域６１から、左選定行６１ＡＸを左端とし、かつ右選定行６１ＢＸを右端とした領域（すなわち、左選定行６１ＡＸから右選定行６１ＢＸまでの領域）を、印刷画像のもとになる特徴描写画像６２として切り出す。
【０２６４】
このようにして画像解析部１０Ｊは、横長特徴部分が描かれている代表画像６０については、当該代表画像６０を解析して横長特徴部分が描かれている領域を検出する。そして画像解析部１０Ｊは、代表画像６０から、検出した領域を切り出すことにより、背景部分を極力排除し、横長特徴部分がおもに描かれた四角形の特徴描写画像６２を生成する。因みに、以下の説明では、横長特徴部分がおもに描かれた特徴描写画像６２を、横長特徴画像６２とも呼ぶ。
【０２６５】
ところで、画像解析部１０Ｊが、１画像取得時、第１の解析切出処理において特徴領域の検出処理を実行しても、特徴領域を検出し得ないと、代表画像に縦長特徴部分、又は縦横短特徴部分が描かれている可能性がある。
【０２６６】
このため画像解析部１０Ｊは、第１の解析切出処理において特徴領域を検出し得ないと、その時点で第１の解析切出処理を中断する。そして画像解析部１０Ｊは、その中断した第１の解析切出処理に用いた代表画像を改めて解析し、その代表画像から縦長特徴部分の描かれた領域を特徴描写画像として切り出すための第２の解析切出処理を実行する。
【０２６７】
この場合、図９に示すように、画像解析部１０Ｊは、代表画像６３を、左端から右端にかけて順次、画像縦方向と平行な帯状の解析領域（すなわち、縦長な解析領域）６３Ａに区切る。
【０２６８】
因みに、縦長な各解析領域６３Ａは、それぞれ代表画像６３の上端から下端までの長さを有し、画像横方向の幅が等しく選定されている。また代表画像６３を区切る縦長な解析領域６３Ａの個数は、予め任意に選定されている。
【０２６９】
このとき画像解析部１０Ｊは、縦長特徴部分が描かれた代表画像６３を縦長な解析領域６３Ａで区切っていると、背景部分が多く描かれた解析領域６３Ａと、縦長特徴部分が多く描かれた解析領域６３Ａとを得ることができる。
【０２７０】
この際、解析領域６３Ａは、縦長特徴部分がほとんど描かれずに、背景部分が多く描かれていると、その背景部分を表現する各色（種類は少ない）の画素がそれぞれ多く、縦長特徴部分を表現する各色（種類は多い）の画素がそれぞれ少ない傾向にある。
【０２７１】
また解析領域６３Ａは、背景部分よりも縦長特徴部分が多く描かれていると、縦長特徴部分を表現する各色（種類は多い）の画素それぞれが、背景部分を表現する各色（種類は少ない）の画素それぞれと同じくらい、又はそれ以上存在する傾向にある。
【０２７２】
一方、画像解析部１０Ｊは、このとき縦横短特徴部分が描かれた代表画像を縦長な解析領域６３Ａで区切っていると、縦横短特徴部分の一部分が描かれると共に、背景部分が縦横短特徴部分よりも格段的に多く描かれた解析領域６３Ａを得ることになる。
【０２７３】
この際、各解析領域６３Ａは、背景部分を表現する各色（種類は少ない）の画素がそれぞれ多く、縦横短特徴部分を表現する各色（種類は多い）の画素がそれぞれ少ない傾向にある。
【０２７４】
このため画像解析部１０Ｊは、上述した場合と同様に、解析領域６３Ａ毎にＲＧＢヒストグラムを生成する。これにより画像解析部１０Ｊは、背景部分が多く描かれている解析領域６３Ａからは、背景部分を表現する各色の画素が多く、画像特徴部分を表現する各色の画素がほとんどないように見えるＲＧＢヒストグラムを得る。
【０２７５】
また画像解析部１０Ｊは、画像特徴部分が多く描かれた解析領域６３Ａからは、背景部分を表現する各色の画素よりも、画像特徴部分を表現する各色の画素が全体的に多く見えるようなＲＧＢヒストグラムを得る。
【０２７６】
ただし、代表画像は、上述のように背景部分を表現する色の種類が少なく、画像特徴部分を表現する色の種類が格段的に多い傾向にある。このためＲＧＢヒストグラムについては、背景部分が多く描かれた解析領域６３Ａに基づいて生成されるよりも、画像特徴部分が多く描かれた解析領域６３Ａに基づいて生成されると、より多くの画素が検出されていることを表す。
【０２７７】
よって画像解析部１０Ｊは、この場合も各ＲＧＢヒストグラムにおいてそれぞれ、Ｒ、Ｇ、Ｂ各々の画素数の集合領域の面積を加算して合計面積を算出する。そして画像解析部１０Ｊは、解析領域６３Ａ毎に算出した合計面積をそれぞれ、予め選定された所定の第２のしきい値と比較する。
【０２７８】
因みに、第２のしきい値は、背景部分が多く描かれた解析領域６３Ａと、縦長特徴部分が多く描かれた解析領域６３Ａとを区別し得るように適宜選定されている。
【０２７９】
これにより画像解析部１０Ｊは、第２のしきい値以上の合計面積を得た解析領域６３Ａを、縦長特徴部分の一部が描かれた特徴領域６３Ａとして検出する。また画像解析部１０Ｊは、特徴領域６３Ａの中で、順次隣接する２つ以上の特徴領域６３Ａを合せて領域隣接箇所として検出する。
【０２８０】
その結果、図１０に示すように、画像解析部１０Ｊは、代表画像６３に領域隣接箇所が一箇所だけ存在すると、当該代表画像６３から、その領域隣接箇所を、縦長特徴部分が描かれた特徴描写領域６４として切り出す。
【０２８１】
因みに、画像解析部１０Ｊは、代表画像に領域隣接箇所が二箇所以上存在する場合、上述と同様に所定の切出条件に従い、代表画像から、その画像中心にかかる、又は画像中心に最も近い１つの領域隣接箇所を特徴描写領域として切り出す。
【０２８２】
図１１に示すように、画像解析部１０Ｊは、このようにして１つの特徴描写領域６４を得ると、当該特徴描写領域６４において、例えば、左端を直交座標系のＸ軸、下端を直交座標系のＹ軸として、左下隅の画素の位置を直交座標系の原点（Ｘ０，Ｙ０）とする。
【０２８３】
これにより画像解析部１０Ｊは、特徴描写領域６４の各画素の位置を直交座標系の座標で示すようにする。因みに、特徴描写領域６４では、この際、右下隅の画素の位置を座標（Ｘｅ，Ｙ０）と表し、左上隅の画素の位置を座標（Ｘ０，Ｙｆ）と表し、右上隅の画素の位置を座標（Ｘｅ，Ｙｆ）と表す。
【０２８４】
また画像解析部１０Ｊは、特徴描写領域６４において中央部を除く上端部及び下端部に、当該中央部よりも狭い幅で、これら上端部及び下端部を比較するための比較領域６４Ａ及び６４Ｂを設定する。
【０２８５】
因みに、以下の説明では、特徴描写領域６４の上端部の比較領域６４Ａを、上比較領域６４Ａとも呼び、当該特徴描写領域６４の下端部の比較領域６４Ｂを、下比較領域６４Ｂとも呼ぶ。
【０２８６】
そして上比較領域６４Ａは、特徴描写領域６４の上端から、わずかに下端側の（６）式
【０２８７】
【数６】
2010277647.tif 000008
【０２８８】
で表されるＸ軸（画像縦方向）と平行な直線上に位置する（すなわち、Ｘ座標がＸ０乃至Ｘｅで、Ｙ座標がＹｈの位置）の各画素までの領域である。
【０２８９】
また下比較領域６４Ｂは、特徴描写領域６４の下端から、わずかに上端側の（７）式
【０２９０】
【数７】
2010277647.tif 000009
【０２９１】
で表されるＸ軸（画像縦方向）と平行な直線上に位置する（すなわち、Ｘ座標がＸ０乃至Ｘｅで、Ｙ座標がＹｇの位置）の各画素までの領域である。因みに、以下の説明では、特徴描写領域６４においてＸ軸と平行な（すなわち、左端から右端までの）直線上の画素の並びを列とも呼ぶ。
【０２９２】
この状態で画像解析部１０Ｊは、上比較領域６４Ａの個々の列と、下比較領域６４Ｂの個々の列とを総当たりで比較する。実際に画像解析部１０Ｊは、このとき上比較領域６４Ａの個々の画素のＲの値をｒ（ｘ，ｙ１）とし、Ｇの値をｇ（ｘ，ｙ１）とし、Ｂの値をｂ（ｘ，ｙ１）として、列毎の各画素の値をＰ３とした場合、当該列毎の各画素の値を、（８）式
【０２９３】
【数８】
2010277647.tif 000010
【０２９４】
で表されるように、Ｒの値、Ｇの値及びＢの値をそれぞれ２乗して加算した結果の平方根を算出して求めるようにする。
【０２９５】
また画像解析部１０Ｊは、下比較領域６４Ｂの個々の画素のＲの値をｒ（ｘ，ｙ２）とし、Ｇの値をｇ（ｘ，ｙ２）とし、Ｂの値をｂ（ｘ，ｙ２）として、列毎の各画素の値をＰ４とした場合、当該列毎の各画素の値を、（９）式
【０２９６】
【数９】
2010277647.tif 000011
【０２９７】
で表されるように、Ｒの値、Ｇの値及びＢの値をそれぞれ２乗して加算した結果の平方根を算出して求めるようにする。
【０２９８】
さらに画像解析部１０Ｊは、上比較領域６４Ａの列毎の各画素の値と、下比較領域６４Ｂの列毎の対応する各画素（すなわち、互いにＸ座標が同じ画素）の値との差分値の差分合計値をＳ２として、当該差分合計値を、（１０）式
【０２９９】
【数１０】
2010277647.tif 000012
【０３００】
で表されるように、上比較領域６４Ａの列毎の各画素の値と、下比較領域６４Ｂの列毎の対応する各画素の値との差分の合計の絶対値として算出する。
【０３０１】
そして画像解析部１０Ｊは、上比較領域６４Ａの個々の列と、下比較領域６４Ｂの個々の列との総当たりで算出した差分合計値を、当該上比較領域６４Ａの個々の列と下比較領域６４Ｂの個々の列とがどの程度類似しているのかを表す指標として用いる。
【０３０２】
すなわち、上述した左比較領域６１Ａ及び右比較領域６１Ｂの場合と同様に、上比較領域６４Ａの列と下比較領域６４Ｂの列とは、より大きな差分合計値を得るほど、互いに各画素により１列として表現する色の並びや色合いが異なり、類似の程度が低いと言える。
【０３０３】
また上述した左比較領域６１Ａ及び右比較領域６１Ｂの場合と同様に、上比較領域６４Ａの列と下比較領域６４Ｂの列とは、より小さな差分合計値を得るほど、互いに各画素により１列として表現する色の並びや色合いが似ていて、類似の程度が高いと言える。
【０３０４】
よって図１２に示すように、画像解析部１０Ｊは、上比較領域６４Ａの１列と、下比較領域６４Ｂの１列との種々の組み合わせのうち、最小差分合計値を得た１組の上比較領域６４Ａの１列６４ＡＸと、下比較領域６４Ｂの１列６４ＢＸとを選定する。
【０３０５】
因みに、以下の説明では、最小差分合計値を得た１組の上比較領域６４Ａの１列６４ＡＸと、下比較領域６４Ｂの１列６４ＢＸとのうち、当該上比較領域６４Ａで選定した１列６４ＡＸを、上選定列６４ＡＸとも呼ぶ。
【０３０６】
また、以下の説明では、最小差分合計値を得た１組の上比較領域６４Ａの１列６４ＡＸと、下比較領域６４Ｂの１列６４ＢＸとのうち、当該下比較領域６４Ｂで選定した１列６４ＢＸを、下選定列６４ＢＸとも呼ぶ。
【０３０７】
そして画像解析部１０Ｊは、特徴描写領域６４において上比較領域６４Ａから上選定列６４ＡＸよりも上端側の部分を切り捨てる。また画像解析部１０Ｊは、特徴描写領域６４において下比較領域６４Ｂから下選定列６４ＢＸよりも下端側の部分を切り捨てる。
【０３０８】
すなわち、画像解析部１０Ｊは、特徴描写領域６４から、上選定列６４ＡＸを上端とし、かつ下選定列６４ＢＸを下端とした領域（すなわち、上選定列６４ＡＸから下選定列６４ＢＸまでの領域）を、印刷画像のもとになる特徴描写画像６５として切り出す。
【０３０９】
このようにして画像解析部１０Ｊは、縦長特徴部分が描かれた代表画像６３については、当該代表画像６３を解析して縦長特徴部分が描かれた領域を検出する。そして画像解析部１０Ｊは、代表画像６３から、検出した領域を切り出すことにより、背景部分を極力排除し、縦長特徴部分がおもに描かれた四角形の特徴描写画像６５を生成する。因みに、以下の説明では、縦長特徴部分がおもに描かれた特徴描写画像６５を、縦長特徴画像６５とも呼ぶ。
【０３１０】
ところで、画像解析部１０Ｊは、１画像取得時、第２の解析切出処理において特徴領域の検出処理を実行しても、特徴領域を検出し得ないと、このときには縦横短特徴部分が描かれた代表画像を用いているため、第２の解析切出処理を中断する。
【０３１１】
そして画像解析部１０Ｊは、その中断した第１及び第２の解析切出処理に用いた代表画像を改めて解析し、当該代表画像から縦横短特徴部分の描かれた領域を特徴描写画像として切り出すための第３の解析切出処理を実行する。
【０３１２】
この場合、図１３に示すように、画像解析部１０Ｊは、代表画像６６全体を、例えば、四角形の複数の解析領域６６Ａに区切る。因みに、四角形の各解析領域６６Ａは、それぞれ同じ大きさを有している。また代表画像６６を区切る四角形の解析領域６６Ａの個数は、図中に示す個数に限らず、予め任意に選定されている。
【０３１３】
このとき画像解析部１０Ｊは、縦横短特徴部分が描かれた代表画像６６を四角形の解析領域６６Ａで区切ることで、背景部分が多く描かれた解析領域６６Ａと、縦横短特徴部分が多く描かれた解析領域６６Ａとを得ることができる。
【０３１４】
この際、解析領域６６Ａは、縦横短特徴部分がほとんど描かれずに、背景部分が多く描かれていると、その背景部分を表現する各色（種類は少ない）の画素がそれぞれ多く、縦横短特徴部分を表現する各色（種類は多い）の画素がそれぞれ少ない傾向にある。
【０３１５】
また解析領域６６Ａは、背景部分よりも縦横短特徴部分が多く描かれていると、縦横短特徴部分を表現する各色（種類は多い）の画素それぞれが、背景部分を表現する各色（種類は少ない）の画素それぞれと同じくらい、又はそれ以上存在する傾向にある。
【０３１６】
このため画像解析部１０Ｊは、上述した場合と同様に、解析領域６６Ａ毎にＲＧＢヒストグラムを生成する。これにより画像解析部１０Ｊは、背景部分が多く描かれている解析領域６６Ａからは、背景部分を表現する各色の画素が多く、縦横短特徴部分を表現する各色の画素がほとんどないように見えるＲＧＢヒストグラムを得る。
【０３１７】
また画像解析部１０Ｊは、縦横短特徴部分が多く描かれた解析領域６６Ａからは、背景部分を表現する各色の画素よりも、縦横短特徴部分を表現する各色の画素が全体的に多く見えるようなＲＧＢヒストグラムを得る。
【０３１８】
ただし、代表画像６６は、上述のように背景部分を表現する色の種類が少なく、縦横短特徴部分を表現する色の種類が格段的に多い傾向にある。このためＲＧＢヒストグラムについては、背景部分が多く描かれた解析領域６６Ａに基づいて生成されるよりも、縦横短特徴部分が多く描かれた解析領域６６Ａに基づいて生成されると、より多くの画素が検出されていることを表す。
【０３１９】
このため画像解析部１０Ｊは、各ＲＧＢヒストグラムにおいてそれぞれ、Ｒ、Ｇ、Ｂ各々の画素数の集合領域の面積を加算して合計面積を算出する。そして画像解析部１０Ｊは、解析領域６６Ａ毎に算出した合計面積をそれぞれ、予め選定された所定の第３のしきい値と比較する。
【０３２０】
因みに、第３のしきい値は、背景部分が多く描かれた解析領域６６Ａと、縦横短特徴部分が多く描かれた解析領域６６Ａとを区別し得るように適宜選定されている。
【０３２１】
これにより画像解析部１０Ｊは、第３のしきい値以上の合計面積を得た解析領域６６Ａを、縦横短特徴部分の一部が描かれた特徴領域６６Ａとして検出する。また画像解析部１０Ｊは、特徴領域６６Ａの中で、画像横方向及び画像縦方向にかかわらずに順次隣接する２つ以上の特徴領域６６Ａを合せて領域隣接箇所として検出する。
【０３２２】
その結果、図１４に示すように、画像解析部１０Ｊは、代表画像６６に領域隣接箇所が一箇所だけ存在すると、例えば、領域隣接箇所の各角の少なくとも一部に接し、当該領域隣接箇所を囲む最も小さい円形又は楕円形の枠６７を生成する。
【０３２３】
因みに、画像解析部１０Ｊは、領域隣接箇所を囲む枠６７を楕円形にする場合、当該領域隣接箇所の形状に応じて楕円の長軸及び短軸の一方を画像縦方向と平行にして枠６７を生成する。
【０３２４】
そして画像解析部１０Ｊは、代表画像６６から、その枠６７で囲んだ部分（すなわち、領域隣接箇所を含む部分）を、背景部分を極力排除し、縦横短特徴部分がおもに描かれた特徴描写画像６８として切り出す。
【０３２５】
因みに、画像解析部１０Ｊは、代表画像に領域隣接箇所が二箇所以上存在する場合、代表画像の画像中心にかかる、又は画像中心に最も近い１つの領域隣接箇所を同様に枠で囲み、当該代表画像から、その枠で囲んだ部分を特徴描写画像として切り出す。
【０３２６】
このようにして画像解析部１０Ｊは、縦横短特徴部分が描かれた代表画像６６については、当該代表画像６６を解析して、その縦横短特徴部分が描かれた領域を検出する。
【０３２７】
そして画像解析部１０Ｊは、代表画像６６から、検出した領域を切り出すことにより、背景部分を極力排除し、縦横短特徴部分がおもに描かれた特徴描写画像６８を生成する。因みに、以下の説明では、縦横短特徴部分がおもに描かれた特徴描写画像６８を、縦横短特徴画像６８とも呼ぶ。
【０３２８】
このようにして画像解析部１０Ｊは、第１の解析切出処理を実行して、横長特徴画像６２を生成すると、当該生成した横長特徴画像６２を、対応する最小差分合計値及び属性情報と共に印刷画像生成部１０Ｋに送出する。
【０３２９】
また画像解析部１０Ｊは、第１の解析切出処理の中断に引き続き第２の解析切出処理を実行して、縦長特徴画像６５を生成すると、その縦長特徴画像６５を、対応する最小差分合計値及び属性情報と共に印刷画像生成部１０Ｋに送出する。
【０３３０】
さらに画像解析部１０Ｊは、第１及び第２の解析切出処理の中断に引き続き第３の解析切出処理を実行して、縦横短特徴画像６８を生成すると、当該生成した縦横短特徴画像６８を、対応する属性情報と共に印刷画像生成部１０Ｋに送出する。
【０３３１】
一方、画像解析部１０Ｊは、複数画像取得時、代表画像取得部１０Ｈから複数（２つ以上）の代表画像データが与えられると、順次１つの代表画像データを用いて上述と同様に第１の解析切出処理を実行し、また適宜、第２及び第３の解析切出処理も実行する。
【０３３２】
これにより画像解析部１０Ｊは、順次１つの代表画像データに基づき横長特徴画像６２、縦長特徴画像６５、縦横短特徴画像６８の何れか１つを生成する。すなわち、画像解析部１０Ｊは、このとき複数の代表画像それぞれに描かれた画像特徴部分の種類に応じて、横長特徴画像６２、縦長特徴画像６５、縦横短特徴画像６８の少なくとも１種類以上を生成する。
【０３３３】
よって、画像解析部１０Ｊは、このとき複数の代表画像それぞれに描かれた画像特徴部分に応じて、これら複数の代表画像をもとに横長特徴画像６２のみや、縦長特徴画像６５のみ、また縦横短特徴画像６８のみを生成する場合がある。
【０３３４】
また画像解析部１０Ｊは、このとき複数の代表画像をもとに横長特徴画像６２と縦長特徴画像６５とを生成し、縦横短特徴画像６８は生成しない場合もある。さらに画像解析部１０Ｊは、このとき複数の代表画像をもとに、横長特徴画像６２及び縦長特徴画像６５の一方と縦横短特徴画像６８とを生成し、当該横長特徴画像６２及び縦長特徴画像６５の他方は生成しない場合等もある。
【０３３５】
このようにして画像解析部１０Ｊは、この際、横長特徴画像６２や縦長特徴画像６５を生成すると、当該生成した横長特徴画像６２や縦長特徴画像６５を、対応する最小差分合計値及び属性情報と共に印刷画像生成部１０Ｋに送出する。また画像解析部１０Ｊは、この際、縦横短特徴画像６８を生成すると、当該生成した縦横短特徴画像６８を、対応する属性情報と共に印刷画像生成部１０Ｋに送出する。
【０３３６】
ここで、印刷画像生成部１０Ｋには、１画像取得時、画像解析部１０Ｊから横長特徴画像６２、縦長特徴画像６５、縦横短特徴画像６８の何れか１つが与えられる。また印刷画像生成部１０Ｋには、複数画像取得時、画像解析部１０Ｊから横長特徴画像６２、縦長特徴画像６５及び又は縦横短特徴画像６８が複数与えられる。
【０３３７】
よって以下には、まず印刷画像生成部１０Ｋに、１画像取得時、画像解析部１０Ｊから横長特徴画像６２、縦長特徴画像６５、縦横短特徴画像６８の１つが与えられた場合について説明する。
【０３３８】
次いで、印刷画像生成部１０Ｋに、複数画像取得時、画像解析部１０Ｊから複数の横長特徴画像６２、縦長特徴画像６５及び又は縦横短特徴画像６８が与えられた場合について説明する。
【０３３９】
印刷画像生成部１０Ｋは、１画像取得時、画像解析部１０Ｊから１つの横長特徴画像６２が、対応する最小差分合計値及び属性情報と共に与えられると、その最小差分合計値を、予め選定された所定の第４のしきい値と比較する。
【０３４０】
因みに、第４のしきい値は、画像の一端及び他端を接合する場合、当該一端と他端との色合いが違和感を抱かせない程度に似ているか否かを判別するために、適宜選定されている。
【０３４１】
よって印刷画像生成部１０Ｋは、最小差分合計値が第４のしきい値以下であると、横長特徴画像６２の左端と右端との色合いが違和感を抱かせない程度に似ているものとして、当該横長特徴画像６２を、そのまま印刷画像の元画像とする。因みに、以下の説明では、印刷画像を生成するためのもとになる元画像を、印刷元画像とも呼ぶ。
【０３４２】
これに対し印刷画像生成部１０Ｋは、最小差分合計値が第４のしきい値よりも大きいと、横長特徴画像６２の左端と右端との色合いの違いが比較的大きいものとし、横長特徴画像６２の左端から右端側へ数行分の領域を、特殊効果処理を施す効果領域に設定する。
【０３４３】
また印刷画像生成部１０Ｋは、このとき横長特徴画像６２の右端から左端側へ数行分の領域も、特殊効果処理を施す効果領域に設定する。因みに、以下の説明では、横長特徴画像６２の左端部の効果領域を、左効果領域とも呼び、当該横長特徴画像６２の右端部の効果領域を、右効果領域とも呼ぶ。
【０３４４】
ここで、特殊効果処理としては、左効果領域において右端側から左端へ徐々に絵柄のぼかしの程度を強くすると共に、右効果領域において左端側から右端へ徐々に絵柄のぼかしの程度を強くするような、ぼかし処理がある。
【０３４５】
また特殊効果処理としては、左効果領域において右端側から左端へ明度又は彩度を徐々に下げると共に、右効果領域において左端側から右端へ明度又は彩度を徐々に下げるようなグラデーション処理もある。
【０３４６】
印刷画像生成部１０Ｋは、横長特徴画像６２の左効果領域及び右効果領域に対し、ぼかし処理及びグラデーション処理うち予めユーザにより選定された一方を特殊効果処理として施す。
【０３４７】
これにより印刷画像生成部１０Ｋは、横長特徴画像６２の左端と右端との色合いを近づけるようにする。そして印刷画像生成部１０Ｋは、特殊効果処理を施した横長特徴画像６２を印刷元画像とする。
【０３４８】
次いで、図１５に示すように、印刷画像生成部１０Ｋは、印刷元画像である横長特徴画像６２において、例えば、左端を直交座標系のＸ軸、下端を直交座標系のＹ軸として、左下隅の画素の位置を直交座標系の原点（Ｘ０，Ｙ０）とする。
【０３４９】
これにより印刷画像生成部１０Ｋは、横長特徴画像６２の各画素の位置を直交座標系の座標で示すようにする。因みに、横長特徴画像６２では、この際、右下隅の画素の位置を座標（Ｘｊ，Ｙ０）と表し、左上隅の画素の位置を座標（Ｘ０，Ｙｋ）と表し、右上隅の画素の位置を座標（Ｘｊ，Ｙｋ）と表す。
【０３５０】
そのうえで印刷画像生成部１０Ｋは、直交座標系の原点（Ｘ０，Ｙ０）を極座標系の極（Ｒ０，θ０）とし、当該直交座標系のＸ軸を極座標系の始線とする。また印刷画像生成部１０Ｋは、直交座標系で個々の画素の位置を示す座標に基づき、極から個々の画素の位置までの距離Ｒを求める。
【０３５１】
さらに印刷画像生成部１０Ｋは、直交座標系で個々の画素の位置を示す座標に基づき、始線に対する、極と個々の画素の位置とを結ぶ線分の偏角θも求める。このようにして印刷画像生成部１０Ｋは、横長特徴画像６２の各画素の位置を示す直交座標系の座標（Ｘ，Ｙ）を、極座標（Ｒ，θ）に変換する。
【０３５２】
そして印刷画像生成部１０Ｋは、横長特徴画像６２において下端の１列の画素のうち極の画素を除く他の画素の位置を全て極に変更して当該他の画素を極の画素に置き換えると共に、各行を極から放射状に配置するように、各画素の位置を極座標と共に変更する。
【０３５３】
これにより図１６に示すように、印刷画像生成部１０Ｋは、横長特徴画像６２の下端をまとめて極を画像中心とし、かつ上端を画像外周として左端と右端とを接合した円形の印刷画像７０を生成する。
【０３５４】
すなわち、印刷画像生成部１０Ｋは、四角形の横長特徴画像６２を円形に変形させて、当該四角形の横長特徴画像６２に描かれた一方向（画像横方向）に長い横長特徴部分を、極を中心とする円弧に沿って展開させる印刷画像７０を生成する。
【０３５５】
因みに、円形の印刷画像７０は、横長特徴画像６２の左端（及び右端）の長さ（すなわち、１行の長さ）が半径になっている。そして、以下の説明では、印刷画像７０の半径を画像半径とも呼ぶ。
【０３５６】
ただし、印刷画像生成部１０Ｋは、横長特徴画像６２の各画素の個数を換えずに印刷画像７０を生成すると、極を中心する種々の同心円上に位置する各画素のうち、より画像外周側の同心円上に位置する各画素ほど互いの間隙が広がる。
【０３５７】
このため印刷画像生成部１０Ｋは、印刷画像７０において、画像外周側の同心円上の各画素の間隙に、当該間隙の周辺に位置する複数の画素を用いて新たな画素を補間する。これにより印刷画像生成部１０Ｋは、印刷画像７０において画像外周側ほど各画素がまばらに配置され、画質が劣化することを防止している。
【０３５８】
このようにして印刷画像生成部１０Ｋは、横長特徴画像６２に基づいて印刷画像７０を生成すると、その印刷画像７０を印刷データ生成部１０Ｌに送出する。
【０３５９】
また印刷画像生成部１０Ｋは、１画像取得時、画像解析部１０Ｊから１つの縦長特徴画像６５が、対応する最小差分合計値及び属性情報と共に与えられると、その最小差分合計値も第４のしきい値と比較する。
【０３６０】
その結果、印刷画像生成部１０Ｋは、最小差分合計値が第４のしきい値以下であると、縦長特徴画像６５の上端と下端との色合いが違和感を抱かせない程度に似ているものとして、当該縦長特徴画像６５を、そのまま印刷元画像とする。
【０３６１】
これに対し印刷画像生成部１０Ｋは、最小差分合計値が第４のしきい値よりも大きいと、縦長特徴画像６５の上端と下端との色合いの違いが比較的大きいものとして、当該縦長特徴画像６５の上端から下端側へ数列分の領域を効果領域に設定する。
【０３６２】
また印刷画像生成部１０Ｋは、このとき縦長特徴画像６５の下端から上端側へ数列分の領域も効果領域に設定する。因みに、以下の説明では、縦長特徴画像６５の上端部の効果領域を、上効果領域とも呼び、当該縦長特徴画像６５の下端部の効果領域を、下効果領域とも呼ぶ。
【０３６３】
さらに印刷画像生成部１０Ｋは、上述した横長特徴画像６２の場合と同様に、縦長特徴画像６５の上効果領域及び下効果領域に特殊効果処理を施す。これにより印刷画像生成部１０Ｋは、縦長特徴画像６５の上端と下端との色合いを近づけるようにして、その特殊効果処理を施した縦長特徴画像６５を印刷元画像とする。
【０３６４】
次いで、図１７に示すように、印刷画像生成部１０Ｋは、印刷元画像である縦長特徴画像６５において、例えば、左端を直交座標系のＸ軸、下端を直交座標系のＹ軸として、左下隅の画素の位置を直交座標系の原点（Ｘ０，Ｙ０）とする。
【０３６５】
これにより印刷画像生成部１０Ｋは、縦長特徴画像６５の各画素の位置を直交座標系の座標で示すようにする。因みに、縦長特徴画像６５では、この際、右下隅の画素の位置を座標（Ｘｍ，Ｙ０）と表し、左上隅の画素の位置を座標（Ｘ０，Ｙｎ）と表し、右上隅の画素の位置を座標（Ｘｍ，Ｙｎ）と表す。
【０３６６】
そのうえで印刷画像生成部１０Ｋは、上述した横長特徴画像６２の場合と同様に、縦長特徴画像６５の各画素の位置を示す直交座標系の座標（Ｘ，Ｙ）を、極座標（Ｒ，θ）に変換する。
【０３６７】
そして印刷画像生成部１０Ｋは、縦長特徴画像６５において左端の１行の画素のうち極の画素を除く他の画素の位置を全て極に変更して当該他の画素を極の画素に置き換えると共に、各列を極から放射状に配置するように、各画素の位置を極座標と共に変更する。
【０３６８】
これにより印刷画像生成部１０Ｋは、縦長特徴画像６５の左端をまとめて極を画像中心とし、かつ右端を画像外周として上端と下端とを接合した円形の印刷画像（図示せず）を生成する。
【０３６９】
すなわち、印刷画像生成部１０Ｋは、四角形の縦長特徴画像６５を円形に変形させて、当該四角形の縦長特徴画像６５に描かれた一方向（画像縦方向）に長い縦長特徴部分を、極を中心とする円弧に沿って展開させる印刷画像を生成する。
【０３７０】
因みに、印刷画像は、縦長特徴画像６５の上端（及び下端）の長さ（すなわち、１列の長さ）が画像半径になっている。また印刷画像生成部１０Ｋは、この場合も縦長特徴画像６５の各画素の個数を換えずに印刷画像を生成すると、極を中心する種々の同心円上に位置する各画素のうち、より画像外周側の同心円上に位置する各画素ほど互いの間隙が広がる。
【０３７１】
このため印刷画像生成部１０Ｋは、上述した横長特徴画像６２を用いた場合と同様に印刷画像において外周側の同心円上の各画素の間隙に新たな画素を補間する。これにより印刷画像生成部１０Ｋは、印刷画像において画像外周側ほど各画素がまばらに配置され、画質が劣化することを防止する。
【０３７２】
このようにして印刷画像生成部１０Ｋは、縦長特徴画像６５に基づいて印刷画像を生成すると、その印刷画像を印刷データ生成部１０Ｌに送出する。
【０３７３】
ところで、印刷画像生成部１０Ｋは、１画像取得時、画像解析部１０Ｊから１つの縦横短特徴画像６８が、対応する属性情報と共に与えられると、その縦横短特徴画像６８については、特に横長特徴画像６２や縦長特徴画像６５の場合のようには加工しない。よって印刷画像生成部１０Ｋは、縦横短特徴画像６８をそのまま印刷画像として印刷データ生成部１０Ｌに送出する。
【０３７４】
一方、印刷画像生成部１０Ｋは、複数画像取得時、画像解析部１０Ｊから複数の横長特徴画像６２、縦長特徴画像６５及び又は縦横短特徴画像６８が、対応する差分合計値や属性情報と共に与えられると、このとき与えられた画像の種類を判別する。
【０３７５】
ここで、印刷画像生成部１０Ｋでは、画像解析部１０Ｊから複数の横長特徴画像６２、縦長特徴画像６５及び又は縦横短特徴画像６８が与えられると、これらのうち横長特徴画像６２及び縦長特徴画像６５を優先して印刷画像の生成に用いるように設定されている。
【０３７６】
すなわち、印刷画像生成部１０Ｋは、画像解析部１０Ｊから横長特徴画像６２及び又は縦長特徴画像６５と共に、縦横短特徴画像６８が与えられると、縦横短特徴画像６８を除き横長特徴画像６２及び又は縦長特徴画像６５のみを印刷画像生成用に選択する。
【０３７７】
この際、印刷画像生成部１０Ｋは、印刷画像生成用に選択した全て（１又は複数）の横長特徴画像６２及び又は縦長特徴画像６５に基づき１つの印刷画像を生成する。そして印刷画像生成部１０Ｋは、その印刷画像を印刷データ生成部１０Ｌに送出し、縦横短特徴画像６８については印刷データ生成部１０Ｌには送出しない。
【０３７８】
また印刷画像生成部１０Ｋは、画像解析部１０Ｊから横長特徴画像６２及び又は縦長特徴画像６５のみが与えられると、これらを全て印刷画像生成用に選択する。この際、印刷画像生成部１０Ｋは、印刷画像生成用に選択した全て（複数）の横長特徴画像６２及び又は縦長特徴画像６５に基づき１つの印刷画像を生成する。そして印刷画像生成部１０Ｋは、その印刷画像を印刷データ生成部１０Ｌに送出する。
【０３７９】
ただし、印刷画像生成部１０Ｋは、画像解析部１０Ｊから複数の縦横短特徴画像６８のみが与えられると、この場合には、これら複数の縦横短特徴画像６８を全て印刷画像生成用に選択する。
【０３８０】
そして印刷画像生成部１０Ｋは、複数の縦横短特徴画像を印刷画像生成用に選択した全て（複数）の縦横短特徴画像６８をそれぞれ特には加工せずに、そのまま印刷画像として印刷データ生成部１０Ｌに送出する。
【０３８１】
実際に印刷画像生成部１０Ｋは、複数画像選択時、１つの横長特徴画像６２又は縦長特徴画像６５を印刷画像生成用に選択すると、上述した１画像選択時と同様に処理する。すなわち、印刷画像生成部１０Ｋは、その選択した１つの横長特徴画像６２又は縦長特徴画像６５に基づき１つの印刷画像を生成する。そして印刷画像生成部１０Ｋは、その印刷画像を印刷データ生成部１０Ｌに送出する。
【０３８２】
また印刷画像生成部１０Ｋは、複数画像選択時、例えば２つの横長特徴画像を印刷画像生成用に選択すると、印刷画像生成用の前処理を実行する。この場合、印刷画像生成部１０Ｋは、一方の横長特徴画像において横長特徴部分が長く描かれた一方向（画像横方向）と直交する他方向（画像縦方向）の幅（この場合は上端から下端までの１行の画素数）を基準幅に設定する。
【０３８３】
また印刷画像生成部１０Ｋは、他方の横長特徴画像において横長特徴部分が長く描かれた一方向（画像横方向）と直交する他方向（画像縦方向）の幅（この場合も上端から下端までの１行の画素数）を比較対象幅とする。
【０３８４】
そして印刷画像生成部１０Ｋは、比較対象幅を基準幅と比較する。その結果、印刷画像生成部１０Ｋは、比較対象幅が基準幅と一致すると、前処理を終了して、一方及び他方の横長特徴画像をそのまま、印刷画像生成処理に用いるようにする。
【０３８５】
これに対し印刷画像生成部１０Ｋは、比較対象幅が基準幅とは異なると、他方の横長特徴画像を全体的に、適宜画素を補間して拡大し、又は適宜画素を間引いて縮小する。これにより印刷画像生成部１０Ｋは、他方の横長特徴画像の幅を、一方の横長特徴画像の幅に合わせて前処理を終了する。
【０３８６】
このようにして印刷画像生成部１０Ｋは、一方及び他方の横長特徴画像については、互いの幅が異なる場合、これらを等しくしたうえで印刷画像生成処理に用いるようにする。
【０３８７】
印刷画像生成部１０Ｋは、前処理が終了すると、（１）式乃至（５）式について上述した手法と同様の手法で、一方の横長特徴画像の右端の１行の各画素の値と、他方の横長特徴画像の左端の１行の対応する各画素の値との差分合計値を算出する。そして印刷画像生成部１０Ｋは、その差分合計値を第４のしきい値と比較する。
【０３８８】
その結果、印刷画像生成部１０Ｋは、差分合計値が第４のしきい値以下であると、一方の横長特徴画像の右端と、他方の横長特徴画像の左端との色合いが違和感を抱かせない程度に似ているものとする。よって印刷画像生成部１０Ｋは、この場合、一方の横長特徴画像の右端部と、他方の横長特徴画像の左端部とに特殊効果処理を施さないようにする。
【０３８９】
これに対し印刷画像生成部１０Ｋは、差分合計値が第４のしきい値よりも大きいと、一方の横長特徴画像の右端と、他方の横長特徴画像の左端との色合いの違いが比較的大きいものとする。そして印刷画像生成部１０Ｋは、一方の横長特徴画像の右端部に右効果領域を設定する。
【０３９０】
また印刷画像生成部１０Ｋは、このとき他方の横長特徴画像の左端部に左効果領域を設定する。そして印刷画像生成部１０Ｋは、上述した場合と同様に一方の横長特徴画像の右効果領域及び他方の横長特徴画像の左効果領域に特殊効果処理を施す。これにより印刷画像生成部１０Ｋは、一方の横長特徴画像の右端と他方の横長特徴画像の左端との色合いを近づけるようにする。
【０３９１】
さらに印刷画像生成部１０Ｋは、同様に一方の横長特徴画像の左端の１行の各画素の値と、他方の横長特徴画像の右端の１行の対応する各画素の値との差分合計値を算出する。
【０３９２】
そして印刷画像生成部１０Ｋは、その差分合計値を第４のしきい値と比較する。その結果、印刷画像生成部１０Ｋは、差分合計値が第４のしきい値以下であると、一方の横長特徴画像の左端部と、他方の横長特徴画像の右端部とに特殊効果処理を施さないようにする。
【０３９３】
これに対し印刷画像生成部１０Ｋは、差分合計値が第４のしきい値よりも大きいと、一方の横長特徴画像の左端部に左効果領域を設定すると共に、他方の横長特徴画像の右端部に右効果領域を設定する。
【０３９４】
そして印刷画像生成部１０Ｋは、一方の横長特徴画像の左効果領域及び他方の横長特徴画像の右効果領域に特殊効果処理を施す。これにより印刷画像生成部１０Ｋは、一方の横長特徴画像の左端と他方の横長特徴画像の右端との色合いを近づけるようにする。
【０３９５】
この状態で図１８に示すように、印刷画像生成部１０Ｋは、一方の横長特徴画像７１の右端に他方の横長特徴画像７２の左端を繋げて１つの連続特徴描写画像７３を生成し、当該生成した連続特徴描写画像７３を印刷元画像とする。
【０３９６】
そして印刷画像生成部１０Ｋは、連続特徴描写画像７３において、例えば、左端（一方の横長特徴画像７１の左端）を直交座標系のＸ軸とする。また印刷画像生成部１０Ｋは、連続特徴描写画像７３において下端（一方及び他方の横長特徴画像７１及び７２の下端）を直交座標系のＹ軸として、左下隅（一方の横長特徴画像７１の左下隅）の画素の位置を直交座標系の原点（Ｘ０，Ｙ０）とする。
【０３９７】
これにより印刷画像生成部１０Ｋは、連続特徴描写画像７３の各画素の位置を直交座標系の座標で示すようにする。因みに、連続特徴描写画像７３では、この際、右下隅（実際には、他方の横長特徴画像７２の右下隅）の画素の位置を座標（Ｘｐ，Ｙ０）と表す。
【０３９８】
また連続特徴描写画像７３では、左上隅（実際には、一方の横長特徴画像７１の左上隅）の画素の位置を座標（Ｘ０，Ｙｑ）と表す。さらに連続特徴描写画像７３では、右上隅（実際には、他方の横長特徴画像７２の右上隅）の画素の位置を座標（Ｘｐ，Ｙｑ）と表す。
【０３９９】
そのうえで印刷画像生成部１０Ｋは、上述した横長特徴画像６２の場合と同様に、連続特徴描写画像７３の各画素の位置を示す直交座標系の座標（Ｘ，Ｙ）を、極座標（Ｒ，θ）に変換する。
【０４００】
そして印刷画像生成部１０Ｋは、連続特徴描写画像７３において下端の１列の画素のうち極の画素を除く他の画素の位置を全て極に変更して当該他の画素を極の画素に置き換えると共に、各行を極から放射状に配置するように、各画素の位置を極座標と共に変更する。
【０４０１】
これにより印刷画像生成部１０Ｋは、連続特徴描写画像７３の下端をまとめて極を画像中心とし、かつ上端を画像外周として左端と右端とを接合した円形の印刷画像（図示せず）を生成する。
【０４０２】
すなわち、印刷画像生成部１０Ｋは、四角形の連続特徴描写画像７３を円形に変形させて、当該四角形の連続特徴描写画像７３に描かれた一方向（画像横方向）に長い２つの横長特徴部分を、極を中心とする円弧に沿って順に展開させる印刷画像を生成する。
【０４０３】
因みに、印刷画像は、連続特徴描写画像７３の左端（及び右端）の長さ（すなわち、１行の長さ）が画像半径になっている。また印刷画像生成部１０Ｋは、この場合も印刷画像において、各画素の間隙を適宜補間する。
【０４０４】
このようにして印刷画像生成部１０Ｋは、２つの横長特徴画像７１及び７２に基づいて１つの印刷画像を生成すると、その印刷画像を印刷データ生成部１０Ｌに送出する。
【０４０５】
因みに、印刷画像生成部１０Ｋは、複数画像選択時、３つ以上の横長特徴画像を印刷画像生成用に選択すると、同様に、３つ以上の横長特徴画像を、画像横方向に順次繋げて１つの連続特徴描写画像を生成して印刷元画像とする。そして印刷画像生成部１０Ｋは、その連続特徴描写画像に基づいて１つの印刷画像を生成し印刷データ生成部１０Ｌに送出する。
【０４０６】
さらに印刷画像生成部１０Ｋは、複数画像選択時、例えば２つの縦長特徴画像を印刷画像生成用に選択すると、このときにも印刷画像生成用の前処理を実行する。この場合、印刷画像生成部１０Ｋは、一方の縦長特徴画像において縦長特徴部分が長く描かれた一方向（画像縦方向）と直交する他方向（画像横方向）の幅（この場合は左端から右端までの１列の画素数）を基準幅に設定する。
【０４０７】
また印刷画像生成部１０Ｋは、他方の縦長特徴画像において縦長特徴部分が長く描かれた一方向（画像縦方向）と直交する他方向（画像横方向）の幅（この場合も左端から右端までの１列の画素数）を比較対象幅とする。
【０４０８】
そして印刷画像生成部１０Ｋは、比較対象幅を基準幅と比較する。その結果、印刷画像生成部１０Ｋは、比較対象幅が基準幅と一致すると、前処理を終了して、一方及び他方の縦長特徴画像をそのまま、印刷画像生成処理に用いるようにする。
【０４０９】
これに対し印刷画像生成部１０Ｋは、比較対象幅が基準幅とは異なると、他方の縦長特徴画像を全体的に、適宜画素を補間して拡大し、又は適宜画素を間引いて縮小する。これにより印刷画像生成部１０Ｋは、他方の縦長特徴画像の幅を、一方の縦長特徴画像の幅に合わせて前処理を終了する。
【０４１０】
このようにして印刷画像生成部１０Ｋは、一方及び他方の縦長特徴画像については、互いの幅が異なる場合、これらを等しくしたうえで印刷画像生成処理に用いるようにする。
【０４１１】
印刷画像生成部１０Ｋは、前処理が終了すると、（６）式乃至（１０）式について上述した手法と同様の手法で、一方の縦長特徴画像の下端の１列の各画素の値と、他方の縦長特徴画像の上端の１列の対応する各画素の値との差分合計値を算出する。そして印刷画像生成部１０Ｋは、その差分合計値を第４のしきい値と比較する。
【０４１２】
その結果、印刷画像生成部１０Ｋは、差分合計値が第４のしきい値以下であると、一方の縦長特徴画像の下端と、他方の縦長特徴画像の上端との色合いが違和感を抱かせない程度に似ているものとする。よって印刷画像生成部１０Ｋは、この場合、一方の縦長特徴画像の下端部と、他方の縦長特徴画像の上端部とに特殊効果処理を施さないようにする。
【０４１３】
これに対し印刷画像生成部１０Ｋは、差分合計値が第４のしきい値よりも大きいと、一方の縦長特徴画像の下端と、他方の縦長特徴画像の上端との色合いの違いが比較的大きいものとする。そして印刷画像生成部１０Ｋは、一方の縦長特徴画像の下端部に下効果領域を設定する。
【０４１４】
また印刷画像生成部１０Ｋは、このとき他方の縦長特徴画像の上端部に上効果領域を設定する。そして印刷画像生成部１０Ｋは、上述した場合と同様に一方の縦長特徴画像の下効果領域及び他方の縦長特徴画像の上効果領域に特殊効果処理を施す。これにより印刷画像生成部１０Ｋは、一方の縦長特徴画像の下端と他方の縦長特徴画像の上端との色合いを近づけるようにする。
【０４１５】
さらに印刷画像生成部１０Ｋは、同様に一方の縦長特徴画像の上端の１列の各画素の値と、他方の縦長特徴画像の下端の１列の対応する各画素の値との差分合計値を算出する。
【０４１６】
そして印刷画像生成部１０Ｋは、その差分合計値を第４のしきい値と比較する。その結果、印刷画像生成部１０Ｋは、差分合計値が第４のしきい値以下であると、一方の縦長特徴画像の上端部と、他方の縦長特徴画像の下端部とに特殊効果処理を施さないようにする。
【０４１７】
これに対し印刷画像生成部１０Ｋは、差分合計値が第４のしきい値よりも大きいと、一方の縦長特徴画像の上端部に上効果領域を設定すると共に、他方の縦長特徴画像の下端部に下効果領域を設定する。
【０４１８】
そして印刷画像生成部１０Ｋは、一方の縦長特徴画像の上効果領域及び他方の縦長特徴画像の下効果領域に特殊効果処理を施す。これにより印刷画像生成部１０Ｋは、一方の縦長特徴画像の上端と他方の縦長特徴画像の下端との色合いを近づけるようにする。
【０４１９】
この状態で図１９に示すように、印刷画像生成部１０Ｋは、一方の縦長特徴画像７４の下端に他方の縦長特徴画像７５の上端を繋げて１つの連続特徴描写画像７６を生成し、当該生成した連続特徴描写画像７６を印刷元画像とする。そして印刷画像生成部１０Ｋは、連続特徴描写画像７６において、例えば、左端（一方及び他方の縦長特徴画像７４及び７５の左端）を直交座標系のＸ軸とする。
【０４２０】
また印刷画像生成部１０Ｋは、連続特徴描写画像７６において下端（他方の縦長特徴画像７５の下端）を直交座標系のＹ軸として、左下隅（実際には、他方の縦長特徴画像７５の左下隅）の画素の位置を直交座標系の原点（Ｘ０，Ｙ０）とする。
【０４２１】
これにより印刷画像生成部１０Ｋは、連続特徴描写画像７６の各画素の位置を直交座標系の座標で示すようにする。因みに、連続特徴描写画像７６では、この際、右下隅（実際には、他方の縦長特徴画像７５の右下隅）の画素の位置を座標（Ｘｒ，Ｙ０）と表す。
【０４２２】
また連続特徴描写画像７６では、左上隅（実際には、一方の縦長特徴画像７４の左上隅）の画素の位置を座標（Ｘ０，Ｙｓ）と表す。さらに連続特徴描写画像７６では、右上隅（実際には、一方の縦長特徴画像７５の右上隅）の画素の位置を座標（Ｘｒ，Ｙｓ）と表す。
【０４２３】
そのうえで印刷画像生成部１０Ｋは、上述した縦長特徴画像６５の場合と同様に、連続特徴描写画像７６の各画素の位置を示す直交座標系の座標（Ｘ，Ｙ）を、極座標（Ｒ，θ）に変換する。
【０４２４】
そして印刷画像生成部１０Ｋは、連続特徴描写画像７６において左端の１行の画素のうち極の画素を除く他の画素の位置を全て極に変更して当該他の画素を極の画素に置き換えると共に、各列を極から放射状に配置するように、各画素の位置を極座標と共に変更する。
【０４２５】
これにより印刷画像生成部１０Ｋは、連続特徴描写画像７６の左端をまとめて極を画像中心とし、かつ右端を画像外周として上端と下端とを接合した円形の印刷画像（図示せず）を生成する。
【０４２６】
すなわち、印刷画像生成部１０Ｋは、四角形の連続特徴描写画像７６を円形に変形させて、当該四角形の連続特徴描写画像７６に描かれた一方向（画像縦方向）に長い２つの縦長特徴部分を、極を中心とする円弧に沿って順に展開させる印刷画像を生成する。
【０４２７】
因みに、印刷画像は、連続特徴描写画像７６の上端（及び下端）の長さ（すなわち、１列の長さ）が画像半径になっている。また印刷画像生成部１０Ｋは、この場合も印刷画像において、各画素の間隙を適宜補間する。
【０４２８】
このようにして印刷画像生成部１０Ｋは、２つの縦長特徴画像７４及び７５に基づいて１つの印刷画像を生成すると、その印刷画像を印刷データ生成部１０Ｌに送出する。
【０４２９】
因みに、印刷画像生成部１０Ｋは、複数画像選択時、３つ以上の縦長特徴画像を印刷画像生成用に選択すると、同様に、３つ以上の縦長特徴画像を、画像縦方向に順次繋げて１つの連続特徴描写画像を生成して印刷元画像とする。そして印刷画像生成部１０Ｋは、その連続特徴描写画像に基づいて１つの印刷画像を生成し印刷データ生成部１０Ｌに送出する。
【０４３０】
さらに印刷画像生成部１０Ｋは、複数画像選択時、例えば各々１つの横長特徴画像６２及び縦長特徴画像６５を印刷画像生成用に選択すると、このときにも、まず印刷画像生成用の前処理を実行する。この場合、印刷画像生成部１０Ｋは、例えば、横長特徴画像６２において横長特徴部分が長く描かれた一方向（画像横方向）と直交する他方向（画像縦方向）の幅を基準幅に設定する。
【０４３１】
また印刷画像生成部１０Ｋは、縦長特徴画像において縦長特徴部分が長く描かれた一方向（画像縦方向）と直交する他方向（画像横方向）の幅を比較対象幅とする。そして印刷画像生成部１０Ｋは、比較対象幅を基準幅と比較する。
【０４３２】
その結果、印刷画像生成部１０Ｋは、比較対象幅が基準幅と一致すると、前処理を終了して、横長特徴画像６２及び縦長特徴画像６５をそのまま、印刷画像生成処理に用いるようにする。
【０４３３】
これに対し印刷画像生成部１０Ｋは、比較対象幅が基準幅とは異なると、例えば、縦長特徴画像６５を全体的に、適宜画素を補間して拡大し、又は適宜画素を間引いて縮小する。これにより印刷画像生成部１０Ｋは、縦長特徴画像６５の幅を横長特徴画像６２の幅に合わせて前処理を終了する。
【０４３４】
すなわち、印刷画像生成部１０Ｋは、横長特徴画像６２の幅が縦長特徴画像６５の幅とは異なると、互いの幅を等しくしたうえで、当該横長特徴画像６２及び縦長特徴画像６５を印刷画像生成処理に用いるようにする。
【０４３５】
印刷画像生成部１０Ｋは、前処理が終了すると、横長特徴画像６２の右端の１行の各画素の値と、縦長特徴画像６５の上端の１列の対応する各画素の値との差分合計値を算出する。
【０４３６】
そして印刷画像生成部１０Ｋは、その差分合計値を第４のしきい値と比較する。その結果、印刷画像生成部１０Ｋは、差分合計値が第４のしきい値以下であると、横長特徴画像６２の右端と、縦長特徴画像６５の上端との色合いが違和感を抱かせない程度に似ているものとする。よって印刷画像生成部１０Ｋは、この場合、横長特徴画像６２の右端部と、縦長特徴画像６５の上端部とに特殊効果処理を施さないようにする。
【０４３７】
これに対し印刷画像生成部１０Ｋは、差分合計値が第４のしきい値よりも大きいと、横長特徴画像６２の右端と、縦長特徴画像６５の上端との色合いの違いが比較的大きいものとする。そして印刷画像生成部１０Ｋは、横長特徴画像６２の右端部に右効果領域を設定する。
【０４３８】
また印刷画像生成部１０Ｋは、このとき縦長特徴画像６５の上端部に上効果領域を設定する。そして印刷画像生成部１０Ｋは、横長特徴画像６２の右効果領域及び縦長特徴画像６５の上効果領域に特殊効果処理を施す。これにより印刷画像生成部１０Ｋは、横長特徴画像６２の右端と縦長特徴画像６５の上端との色合いを近づけるようにする。
【０４３９】
さらに印刷画像生成部１０Ｋは、同様に横長特徴画像６２の左端の１行の各画素の値と、縦長特徴画像６５の下端の１列の対応する各画素の値との差分合計値を算出する。
【０４４０】
そして印刷画像生成部１０Ｋは、その差分合計値を第４のしきい値と比較する。その結果、印刷画像生成部１０Ｋは、差分合計値が第４のしきい値以下であると、横長特徴画像６２の左端部と、縦長特徴画像６５の下端部とに特殊効果処理を施さないようにする。
【０４４１】
これに対し印刷画像生成部１０Ｋは、差分合計値が第４のしきい値よりも大きいと、横長特徴画像６２の左端部に左効果領域を設定すると共に、縦長特徴画像６５の下端部に下効果領域を設定する。
【０４４２】
そして印刷画像生成部１０Ｋは、横長特徴画像６２の左効果領域及び縦長特徴画像６５の下効果領域に特殊効果処理を施す。これにより印刷画像生成部１０Ｋは、横長特徴画像６２の左端と縦長特徴画像６５の下端との色合いを近づけるようにする。
【０４４３】
そして印刷画像生成部１０Ｋは、横長特徴画像６２の右端に縦長特徴画像６５の上端を繋げて１つの連続特徴描写画像を生成し、当該生成した連続特徴描写画像を印刷元画像とする。この状態で印刷画像生成部１０Ｋは、連続特徴描写画像において、例えば、左端（横長特徴画像６２の左端）を直交座標系のＸ軸とする。
【０４４４】
また印刷画像生成部１０Ｋは、連続特徴描写画像において下端（横長特徴画像６２の下端及び縦長特徴画像６５の左端）を直交座標系のＹ軸として、左下隅（横長特徴画像６２の左下隅）の画素の位置を直交座標系の原点（Ｘ０，Ｙ０）とする。これにより印刷画像生成部１０Ｋは、連続特徴描写画像の各画素の位置を直交座標系の座標で示すようにする。
【０４４５】
因みに、連続特徴描写画像では、この際、右下隅の画素が縦長特徴画像６５の左下隅の画素となり、左上隅の画素が、横長特徴画像６２の左上隅の画素となり、右上隅の画素が、縦長特徴画像６５の右下隅の画素になる。
【０４４６】
そのうえで印刷画像生成部１０Ｋは、上述した横長特徴画像６２の場合と同様に、連続特徴描写画像の各画素の位置を示す直交座標系の座標（Ｘ，Ｙ）を、極座標（Ｒ，θ）に変換する。
【０４４７】
そして印刷画像生成部１０Ｋは、連続特徴描写画像において下端の１列の画素のうち極の画素を除く他の画素の位置を全て極に変更して当該他の画素を極の画素に置き換えると共に、各行を極から放射状に配置するように、各画素の位置を極座標と共に変更する。
【０４４８】
これにより印刷画像生成部１０Ｋは、連続特徴描写画像の下端をまとめて極を画像中心とし、かつ上端を画像外周として左端と右端とを接合した円形の印刷画像を生成する。すなわち、印刷画像生成部１０Ｋは、四角形の連続特徴描写画像を円形に変形させて、当該連続特徴描写画像に描かれた一方向（画像横方向及び画像縦方向）に長い横長特徴部分及び縦長特徴部分を、極を中心とする円弧に沿って順に展開させる印刷画像を生成する。
【０４４９】
因みに、印刷画像は、連続特徴描写画像の左端（及び右端）の長さ（すなわち、１行の長さ）が画像半径になっている。また印刷画像生成部１０Ｋは、この場合も印刷画像において、各画素の間隙を適宜補間する。
【０４５０】
このようにして印刷画像生成部１０Ｋは、横長特徴画像６２及び縦長特徴画像６５に基づいて１つの印刷画像を生成すると、その印刷画像を印刷データ生成部１０Ｌに送出する。
【０４５１】
因みに、印刷画像生成部１０Ｋは、３つ以上の種々の組み合わせの横長特徴画像６２及び縦長特徴画像６５を印刷画像生成用に選択した場合でも、同様に、これら３つ以上の横長特徴画像６２及び縦長特徴画像６５を繋げて１つの連続特徴描写画像を生成する。そして印刷画像生成部１０Ｋは、その連続特徴描写画像を印刷元画像とし、当該連続特徴描写画像に基づいて印刷画像を生成して印刷データ生成部１０Ｌに送出する。
【０４５２】
図２０に示すように、印刷データ生成部１０Ｌは、記録用ディスク８０のディスク一面に設けられたドーナツ状の印刷領域８１の形状及び大きさを示す印刷領域情報を予め保持している。
【０４５３】
この印刷領域情報は、印刷領域８１の形状及び大きさを示す情報として、記録用ディスク８０のディスク中心ＤＣから印刷領域８１の内周までの半径Ｌ１を示す情報と、当該ディスク中心ＤＣから印刷領域８１の外周までの半径Ｌ２を示す情報とを含んでいる。
【０４５４】
因みに、以下の説明では、記録用ディスク８０のディスク中心ＤＣから印刷領域８１の内周までの半径Ｌ１を、内半径Ｌ１とも呼ぶ。また、以下の説明では、記録用ディスク８０のディスク中心ＤＣから印刷領域８１の外周までの半径Ｌ２と、外半径Ｌ２とも呼ぶ。
【０４５５】
そして図２１に示すように、印刷データ生成部１０Ｌは、例えば、印刷画像生成部１０Ｋから１つの横長特徴画像に基づいて生成された印刷画像７０が与えられると、印刷領域情報に基づき、画像半径を外半径Ｌ２に一致させるように当該印刷画像７０を拡大する。
【０４５６】
また印刷データ生成部１０Ｌは、その拡大した印刷画像の中心部から、画像中心（極）を中心とし半径を内半径Ｌ１とする円形部分を削除する。このようにして印刷データ生成部１０Ｌは、印刷画像７０の形状及び大きさを、記録用ディスク８０の印刷領域８１の形状及び大きさに合せるように、当該印刷画像７０を修正する。
【０４５７】
そして印刷データ生成部１０Ｌは、その修正した印刷画像８２を、ディスク中心に画像中心ＰＣを合せてディスク一面に印刷するための印刷データを生成する。すなわち、印刷データ生成部１０Ｌは、修正した印刷画像８２を印刷対象とし、ディスク中心に画像中心ＰＣを合せるようにディスク一面に対する当該印刷画像８２の印刷位置を規定した印刷データを生成する。
【０４５８】
印刷データ生成部１０Ｌは、印刷データを生成すると、その印刷データを画面生成制御部１０Ｆに送出する。画面生成制御部１０Ｆは、印刷データ生成部１０Ｌから印刷データが与えられると、その印刷データを画面データ生成部１０Ｇに送出する。
【０４５９】
画面データ生成部１０Ｇは、画面生成制御部１０Ｆから与えられた印刷データに基づき、印刷画像８２の印刷状態を事前（実際の印刷の前）に確認させるための印刷状態確認画面の印刷状態確認画面データを生成する。因みに、以下の説明では、印刷状態確認画面を、印刷プレビュ画面とも呼び、印刷状態確認画面データを、印刷プレビュ画面データとも呼ぶ。
【０４６０】
また画面データ生成部１０Ｇは、その印刷プレビュ画面データを表示用にバス１１を介してメモリ３９に一時記憶する。このようにして画面生成制御部１０Ｆは、テレビジョン受像機２７のディスプレイに印刷プレビュ画面データに基づき、図２２に示すような印刷プレビュ画面８３を表示する。
【０４６１】
この場合、印刷プレビュ画面８３は、中央部に記録用ディスク８０のディスク一面を模したドーナツ状のディスク一面画像８４が配置され、当該ディスク一面画像８４内に印刷画像８２が表示されている。
【０４６２】
これにより画面生成制御部１０Ｆは、ユーザに対し印刷プレビュ画面８３を介して、ディスク一面に印刷される印刷画像８２の絵柄や色合いのような印刷状態を事前に確認させることができる。
【０４６３】
また印刷プレビュ画面８３には、ディスク一面画像８４の下側に、記録用ディスクに対する印刷画像８２の印刷を了承するための了承ボタン８５が設けられている。さらに印刷プレビュ画面８３には、ディスク一面画像８４の下側に、印刷画像８２の印刷を中止するための印刷中止ボタン８６も設けられている。
【０４６４】
さらに印刷プレビュ画面８３には、ディスク一面画像８４の下側に、印刷画像８２の絵柄の向きを変更するための向き変更ボタン８７も設けられている。さらにまた印刷プレビュ画面８３には、ディスク一面画像８４の下側に、印刷画像８２に対するタイトル（番組タイトルや動画タイトル、写真タイトル）の追加と削除とをトグル式に選択するためのタイトル追加／削除ボタン８８も設けられている。
【０４６５】
画面生成制御部１０Ｆは、ユーザによりリモコンＲＭを介して印刷プレビュ画面８３上で了承ボタン８５が指示され、印刷画像８２の印刷が了承されると、その了承を印刷データ生成部１０Ｌに通知する。
【０４６６】
印刷データ生成部１０Ｌは、画面生成制御部１０Ｆから印刷の了承が通知されると、印刷データを、バス１１を介してプリンタ制御部４９に送出して、当該プリンタ制御部４９を印刷用に制御する。よってプリンタ制御部４９は、このとき印刷データに基づきプリンタ５０を駆動制御する。
【０４６７】
これにより例えば、図２３に示すように、印刷データ生成部１０Ｌは、印刷データに基づき記録用ディスク９０のディスク一面に一周に渡って（印刷領域全体に渡って）、印刷画像８２を印刷する。
【０４６８】
このようにして印刷データ生成部１０Ｌは、記録用ディスク９０のディスク一面に、代表画像から切り出した横長特徴画像を円形の印刷画像８２として、何ら欠けさせること無く印刷することができる。
【０４６９】
ところで、画面生成制御部１０Ｆは、ユーザによりリモコンＲＭを介して印刷プレビュ画面８３上で向き変更ボタン８７が指示され、印刷画像８２の絵柄の向きを変更するように要求されると、これを印刷画像生成部１０Ｋに通知する。
【０４７０】
印刷画像生成部１０Ｋは、印刷画像を生成して印刷データ生成部１０Ｌに送出した場合、記録用ディスクのディスク一面への印刷画像の印刷が終了し、また中止されるまでは、印刷画像と、その印刷元画像とを、対応する属性情報と共に一時的に保持している。
【０４７１】
因みに、印刷元画像は、特殊効果処理を施す必要がないと判断した横長特徴画像や縦長特徴画像、また特殊効果処理を施した横長特徴画像や縦長特徴画像、さらには２以上の横長特徴画像や縦長特徴画像を順次繋げて生成した連続特徴描写画像等である。
【０４７２】
図２４に示すように、印刷画像生成部１０Ｋは、画面生成制御部１０Ｆから印刷画像８２の絵柄の向きの変更が通知されると、このとき印刷元画像として一時的に保持していた例えば、横長特徴画像６２において、右端を直交座標系のＸ軸にする。
【０４７３】
また印刷画像生成部１０Ｋは、その横長特徴画像６２において上端を直交座標系のＹ軸として、右上隅の画素の位置を直交座標系の原点（Ｘ０，Ｙ０）とする。このようにして印刷画像生成部１０Ｋは、上述の場合とは異なり横長特徴画像６２を、上下を逆さまにした状態で各画素の位置を直交座標系の座標で示すようにする。
【０４７４】
因みに、横長特徴画像６２では、この際、左上隅の画素の位置を座標（Ｘｊ，Ｙ０）と表し、右下隅の画素の位置を座標（Ｘ０，Ｙｋ）と表し、左下隅の画素の位置を座標（Ｘｊ，Ｙｋ）と表す。
【０４７５】
そのうえで印刷画像生成部１０Ｋは、横長特徴画像６２の各画素の位置を示す直交座標系の座標（Ｘ，Ｙ）を、極座標（Ｒ，θ）に変換する。
【０４７６】
そして印刷画像生成部１０Ｋは、横長特徴画像６２において上端の１列の画素のうち極の画素を除く他の画素の位置を全て極に変更して当該他の画素を極の画素に置き換えると共に、各行を極から放射状に配置するように、各画素の位置を極座標と共に変更する。
【０４７７】
これにより図２５に示すように、印刷画像生成部１０Ｋは、横長特徴画像６２の上端をまとめて極を画像中心とし、かつ下端を画像外周として右端と左端とを接合した円形の印刷画像９１を生成する。
【０４７８】
すなわち、印刷画像生成部１０Ｋは、横長特徴画像６２に描かれた一方向（画像横方向）に長い横長特徴部分を、極を中心とする円弧に沿って展開させる円形の印刷画像９１を生成する。
【０４７９】
因みに、印刷画像９１は、横長特徴画像６２の右端（及び左端）の長さ（すなわち、１行の長さ）が画像半径になっている。また印刷画像生成部１０Ｋは、この場合も印刷画像９１において、各画素の間隙を適宜補間する。
【０４８０】
このようにして印刷画像生成部１０Ｋは、横長特徴画像６２に基づいて、その絵柄の向きを変更した印刷画像９１を生成し直す。そして印刷画像生成部１０Ｋは、その印刷画像９１を印刷データ生成部１０Ｌに送出する。
【０４８１】
この際、図２６に示すように、印刷データ生成部１０Ｌは、印刷画像生成部１０Ｋから印刷画像９１が与えられると、上述と同様に印刷領域情報に基づき当該印刷画像９１を拡大すると共に、その中心部から円形部分を削除する。
【０４８２】
これにより印刷データ生成部１０Ｌは、印刷画像９１の形状及び大きさを、記録用ディスクの印刷領域の形状及び大きさに合せるように、当該印刷画像９１を修正する。そして印刷データ生成部１０Ｌは、その修正した印刷画像９２を、ディスク中心に画像中心ＰＣを合せてディスク一面に印刷するための印刷データを生成する。
【０４８３】
印刷データ生成部１０Ｌは、このようにして印刷データを生成すると、その印刷データを再び画面生成制御部１０Ｆに送出する。画面生成制御部１０Ｆは、印刷データ生成部１０Ｌから印刷データが与えられると、その印刷データを再度、画面データ生成部１０Ｇに送出する。
【０４８４】
画面データ生成部１０Ｇは、画面生成制御部１０Ｆから与えられた印刷データに基づき印刷プレビュ画面データを生成して、表示用にバス１１を介してメモリ３９に一時記憶する。
【０４８５】
このようにして画面生成制御部１０Ｆは、テレビジョン受像機２７のディスプレイに印刷プレビュ画面データに基づき、図２２との対応部分に同一符号を付した図２７に示すような印刷プレビュ画面９３を表示する。
【０４８６】
この場合、印刷プレビュ画面９３は、中央部のディスク一面画像８４内に、絵柄の向きが変更された印刷画像９２が表示されている。これにより画面生成制御部１０Ｆは、ユーザに対し印刷プレビュ画面９３を介して、絵柄の向きを変更した印刷画像９２の印象等をディスク一面への印刷前に確認させることができる。
【０４８７】
因みに、画面生成制御部１０Ｆは、この際、ユーザによりリモコンＲＭを介して印刷プレビュ画面９３上で向き変更ボタン８７が指示されると、印刷画像９２の絵柄の向きを元に戻して再び印刷プレビュ画面８３として提示する。
【０４８８】
なお、この場合、印刷画像生成部１０Ｋは、例えば変更前の印刷画像７０を再度、印刷データ生成部１０Ｌに送出する。そして印刷データ生成部１０Ｌは、変更前の印刷画像７０に基づき再び印刷データを生成することにより、絵柄の向きを元に戻した印刷画像８２を提示し得るようにし、また印刷し得るようにする。
【０４８９】
これに対し画面生成制御部１０Ｆは、この際にユーザによりリモコンＲＭを介して印刷プレビュ画面９３上で了承ボタン８５が指示され、印刷画像９２の印刷が了承されると、その了承を印刷データ生成部１０Ｌに通知する。
【０４９０】
印刷データ生成部１０Ｌは、画面生成制御部１０Ｆから印刷の了承が通知されると、このとき生成し直した印刷データを、バス１１を介してプリンタ制御部４９に送出して、当該プリンタ制御部４９を印刷用に制御する。よってプリンタ制御部４９は、このとき印刷データに基づきプリンタ５０を駆動制御する。
【０４９１】
これにより例えば、図２８に示すように、印刷データ生成部１０Ｌは、印刷データに基づき記録用ディスク９０のディスク一面に一周に渡って（印刷領域全体に渡って）、印刷画像９２を印刷する。
【０４９２】
よって印刷データ生成部１０Ｌは、横長特徴画像６２の下端及び上端のうち、まとめて画像中心とする一方と、画像外周とする他方とを切り換えた円形の印刷画像９２として、ディスク一面に当該横長特徴画像６２を絵柄の向きを変更して印刷することができる。
【０４９３】
画面生成制御部１０Ｆは、ユーザによりリモコンＲＭを介し印刷プレビュ画面９３上でタイトル追加／削除ボタン８８が指示され、タイトルを追加するように要求されると、これを印刷画像生成部１０Ｋに通知する。
【０４９４】
図２９に示すように、印刷画像生成部１０Ｋは、画面生成制御部１０Ｆからタイトルの追加が通知されると、このとき印刷画像９１と共に一時的に保持していた、対応する属性情報からタイトル（番組タイトル、動画タイトル又は写真タイトル）の情報を取り出す。
【０４９５】
そして印刷画像生成部１０Ｋは、印刷画像９１の一面の所定位置に、そのタイトル９４（実際には、タイトルを表現する文字列）を重ねる。これにより印刷画像生成部１０Ｋは、タイトル９４を追加した印刷画像９５を生成する。そして印刷画像生成部１０Ｋは、その印刷画像９５を印刷データ生成部１０Ｌに送出する。
【０４９６】
図３０に示すように、印刷データ生成部１０Ｌは、印刷画像生成部１０Ｋから印刷画像９５が与えられると、上述と同様に印刷領域情報に基づき印刷画像９５（すなわち、元の印刷画像９１、及びタイトル９４）を拡大すると共に中心部から円形部分を削除する。
【０４９７】
これにより印刷データ生成部１０Ｌは、印刷画像９５の形状及び大きさを、記録用ディスクの印刷領域の形状及び大きさに合せるように、当該印刷画像９５を修正する。そして印刷データ生成部１０Ｌは、その修正した印刷画像９６を、ディスク中心に画像中心ＰＣを合せてディスク一面に印刷するための印刷データを生成する。
【０４９８】
印刷データ生成部１０Ｌは、このようにして印刷データを生成し直すと、その印刷データを再び画面生成制御部１０Ｆに送出する。画面生成制御部１０Ｆは、印刷データ生成部１０Ｌから印刷データが与えられると、その印刷データを再度、画面データ生成部１０Ｇに送出する。
【０４９９】
画面データ生成部１０Ｇは、画面生成制御部１０Ｆから与えられた印刷データに基づき印刷プレビュ画面データを生成して、表示用にバス１１を介してメモリ３９に一時記憶する。
【０５００】
このようにして画面生成制御部１０Ｆは、テレビジョン受像機２７のディスプレイに印刷プレビュ画面データに基づき、図２２との対応部分に同一符号を付した図３１に示すような印刷プレビュ画面９７を表示する。
【０５０１】
この場合、印刷プレビュ画面９７は、中央部のディスク一面画像８４内に、タイトル９８が追加された印刷画像９６が表示されている。これにより画面生成制御部１０Ｆは、ユーザに対し印刷プレビュ画面９７を介して、タイトル９８を追加した印刷画像９６の印象等をディスク一面への印刷前に確認させることができる。
【０５０２】
因みに、画面生成制御部１０Ｆは、この際、ユーザによりリモコンＲＭを介して印刷プレビュ画面９７上でタイトル追加／削除ボタン８８が指示されると、タイトルの削除が要求されたものと判断する。そして画面生成制御部１０Ｆは、印刷画像９６をタイトル９８の無い元の印刷画像９２に戻して再び印刷プレビュ画面９３として提示する。
【０５０３】
なお、この場合、印刷画像生成部１０Ｋは、例えばタイトル追加前の印刷画像９５を印刷データ生成部１０Ｌに送出する。そして印刷データ生成部１０Ｌは、タイトル追加前の印刷画像９５に基づき、変更前の印刷データを再度、生成することにより、タイトル９４を削除した元の印刷画像９２を提示し得るようにし、また印刷し得るようにする。
【０５０４】
これに対し画面生成制御部１０Ｆは、この際にユーザによりリモコンＲＭを介して印刷プレビュ画面９７上で了承ボタン８５が指示され、印刷画像９６の印刷が了承されると、その了承を印刷データ生成部１０Ｌに通知する。
【０５０５】
印刷データ生成部１０Ｌは、画面生成制御部１０Ｆから印刷の了承が通知されると、このとき生成し直した印刷データを、バス１１を介してプリンタ制御部４９に送出して、当該プリンタ制御部４９を印刷用に制御する。よってプリンタ制御部４９は、このとき印刷データに基づきプリンタ５０を駆動制御する。
【０５０６】
これにより例えば、図３２に示すように、印刷データ生成部１０Ｌは、印刷データに基づき記録用ディスク９０のディスク一面に一周に渡って（印刷領域全体に渡って）、印刷画像９６を印刷する。
【０５０７】
このようにして印刷データ生成部１０Ｌは、記録用ディスク９０のディスク一面に、代表画像から切り出した横長特徴画像をタイトルと共に円形の印刷画像９６として、印刷することができる。
【０５０８】
因みに、画面生成制御部１０Ｆは、上述のように絵柄の向きを変更する前の印刷画像７０に対しても、印刷画像生成部１０Ｋにより、その印刷画像７０に対しタイトルを追加させることができる。
【０５０９】
また画面生成制御部１０Ｆは、上述のようにタイトルを追加している印刷画像９５についても、印刷画像生成部１０Ｋにより、その印刷画像９５の絵柄の向きを変更することができる。ただし、印刷画像生成部１０Ｋは、この際、絵柄の向きを変更するように印刷画像を生成し直したあとで、改めてタイトルを追加するようにして印刷画像を生成し直す。
【０５１０】
ところで、印刷データ生成部１０Ｌ、画面生成制御部１０Ｆ、画面データ生成部１０Ｇ及び印刷画像生成部１０Ｋは、縦長特徴画像や、２つ以上の横長特徴画像及び又は縦長特徴画像に基づいて円形の印刷画像を生成した場合も、同様の処理を実行する。
【０５１１】
これにより画面生成制御部１０Ｆは、縦長特徴画像や、２つ以上の横長特徴画像及び又は縦長特徴画像に基づいて生成された円形の印刷画像の印刷状態を、印刷に先立って確認させることができる。
【０５１２】
そのうえで印刷データ生成部１０Ｌは、縦長特徴画像や、２つ以上の横長特徴画像及び又は縦長特徴画像に基づいて生成された円形の印刷画像を、記録用ディスクのディスク一面に印刷することができる。
【０５１３】
因みに、印刷画像生成部１０Ｋは、横長特徴画像を元にした印刷画像については、向きの変更が要求された場合、上述のように横長特徴画像の上端及び下端のうち、まとめて画像中心にする一方と、画像外周とする他方とを切り換えて絵柄の向きを変更する。
【０５１４】
また印刷画像生成部１０Ｋは、縦長特徴画像を元にした印刷画像については、向きの変更が要求された場合、当該縦長特徴画像の左端及び右端のうち、まとめて画像中心にする一方と、画像外周とする他方とを切り換えて絵柄の向きを変更する。
【０５１５】
そして印刷画像生成部１０Ｋは、連続特徴描写画像を元にした印刷画像については、向きの変更が要求された場合、連続特徴描写画像の上端及び下端のうち、まとめて画像中心にする一方と、画像外周とする他方とを切り換えて絵柄の向きを変更する。
【０５１６】
さらに印刷画像生成部１０Ｋは、連続特徴描写画像を元にした印刷画像については、タイトルの追加が要求された場合、当該印刷画像に含まれる横長特徴画像部分及び又は縦長特徴画像部分それぞれに、対応するタイトルを重ねる。
【０５１７】
さらにまた印刷画像生成部１０Ｋは、連続特徴描写画像を元にした印刷画像については、タイトルの削除が要求された場合、当該印刷画像に含まれる横長特徴画像部分及び又は縦長特徴画像部分それぞれからタイトルを削除する。
【０５１８】
ところで、印刷データ生成部１０Ｌは、例えば、印刷画像生成部１０Ｋから１つの縦横短特徴画像が印刷画像として与えられると、その印刷画像の形状に応じて当該印刷画像の画像長さを検出する。
【０５１９】
実際に印刷データ生成部１０Ｌは、印刷画像生成部１０Ｋから円形の縦横短特徴画像が印刷画像として与えられた場合、その印刷画像の直径を、当該印刷画像の画像長さとする。因みに、印刷データ生成部１０Ｌは、この際、印刷画像において画像中心を通り画像縦方向と平行な軸を画像中心軸とする。
【０５２０】
また印刷データ生成部１０Ｌは、印刷画像生成部１０Ｋから楕円形の縦横短特徴画像が印刷画像として与えられた場合、その印刷画像の画像縦方向と平行な短軸の短径（又は、長軸の長径）を、当該印刷画像の画像長さとする。因みに、印刷データ生成部１０Ｌは、この際、印刷画像において画像中心を通り画像縦方向と平行な短軸又は長軸を、画像中心軸とする。
【０５２１】
そして図３３に示すように、印刷データ生成部１０Ｌは、印刷領域情報に基づき印刷画像の画像長さを、印刷領域の内周から外周までの幅（すなわち、外半径Ｌ２から内半径Ｌ１を減算した長さ）に合せるように当該印刷画像を拡大する。
【０５２２】
また印刷データ生成部１０Ｌは、その大きさを修正（拡大）した印刷画像１００を、記録用ディスクのディスク中心を通る軸に画像中心軸を合せてディスク一面の印刷領域内に印刷するための印刷データを生成する。
【０５２３】
すなわち、印刷データ生成部１０Ｌは、修正した印刷画像１００を印刷対象とし、ディスク中心を通る軸に画像中心軸を合せてディスク中心と画像中心との距離でディスク一面の印刷領域に対する当該印刷画像１００の印刷位置を規定した印刷データを生成する。
【０５２４】
印刷データ生成部１０Ｌは、印刷データを生成すると、その印刷データを画面生成制御部１０Ｆに送出する。画面生成制御部１０Ｆは、印刷データ生成部１０Ｌから印刷データが与えられると、その印刷データを画面データ生成部１０Ｇに送出する。
【０５２５】
画面データ生成部１０Ｇは、画面生成制御部１０Ｆから与えられた印刷データに基づき印刷プレビュ画面データを生成して、表示用にバス１１を介してメモリ３９に一時記憶する。
【０５２６】
このようにして画面生成制御部１０Ｆは、テレビジョン受像機２７のディスプレイに印刷プレビュ画面データに基づき、図２２との対応部分に同一符号を付した図３４に示すような印刷プレビュ画面１０１を表示する。
【０５２７】
この場合、印刷プレビュ画面１０１は、中央部のディスク一面画像８４内に印刷画像１００が表示されている。これにより画面生成制御部１０Ｆは、ユーザに対し印刷プレビュ画面１０１を介して、ディスク一面に印刷される印刷画像１００の絵柄や色合い、印刷位置のような印刷状態を事前に確認させることができる。
【０５２８】
この状態で画面生成制御部１０Ｆは、ユーザによりリモコンＲＭを介して印刷プレビュ画面１０１上で了承ボタン８５が指示され、印刷画像１００の印刷が了承されると、その了承を印刷データ生成部１０Ｌに通知する。
【０５２９】
印刷データ生成部１０Ｌは、画面生成制御部１０Ｆから印刷の了承が通知されると、印刷データを、バス１１を介してプリンタ制御部４９に送出して、当該プリンタ制御部４９を印刷用に制御する。よってプリンタ制御部４９は、このとき印刷データに基づきプリンタ５０を駆動制御する。
【０５３０】
これにより例えば、図３５に示すように、印刷データ生成部１０Ｌは、印刷データに基づき記録用ディスク１０２のディスク一面１０２Ａの所定位置（印刷領域内の所定位置）に、印刷画像１００を印刷する。
【０５３１】
このようにして印刷データ生成部１０Ｌは、記録用ディスク１０２のディスク一面１０２Ａに、代表画像から切り出した縦横短特徴画像を印刷画像１００として印刷することができる。
【０５３２】
因みに、印刷画像生成部１０Ｋは、１つの縦横短特徴画像を印刷画像とした場合に向きの変更が要求されると、当該縦横短特徴画像を上下逆さまにした状態で印刷画像として印刷データ生成部１０Ｌに送出する。
【０５３３】
そして印刷データ生成部１０Ｌは、上述と同様に、その印刷画像に基づき印刷データを生成するものの、縦横短特徴画像の上端及び下端の一方（上端）をディスク中心側にし、他方（下端）をディスク外周側にして絵柄の向きを変更する。
【０５３４】
また印刷画像生成部１０Ｋは、１つの縦横短特徴画像を印刷画像とした場合にタイトルの追加が要求されると、当該縦横短特徴画像にタイトルを重ねたうえで、これを印刷画像として印刷データ生成部１０Ｌに送出する。
【０５３５】
そして印刷データ生成部１０Ｌは、上述と同様に、その印刷画像に基づき印刷データを生成することにより、タイトルを重ねた縦横短特徴画像を印刷画像として提示し得るようにし、また印刷し得るようにする。
【０５３６】
さらに印刷画像生成部１０Ｋは、１つの縦横短特徴画像を印刷画像とした場合にタイトルの削除が要求されると、タイトルを重ねる前の当該縦横短特徴画像を印刷画像として再び、印刷データ生成部１０Ｌに送出する。
【０５３７】
そして印刷データ生成部１０Ｌは、上述と同様に、その印刷画像に基づき印刷データを生成することにより、タイトルを削除した縦横短特徴画像を印刷画像として提示し得るようにし、また印刷し得るようにする。
【０５３８】
ところで、印刷データ生成部１０Ｌ、画面生成制御部１０Ｆ及び画面データ生成部１０Ｇは、２つ以上の縦横短特徴画像それぞれを印刷画像とする場合も、同様の処理を実行する。
【０５３９】
すなわち、印刷データ生成部１０Ｌは、２つ以上の縦横短特徴画像がそれぞれ印刷画像として与えられた場合、ディスク一面の印刷領域に一周に渡って、これら複数の印刷画像を等間隔に配置して印刷するような印刷データを生成する。
【０５４０】
そして画面生成制御部１０Ｆは、２つ以上の縦横短特徴画像それぞれを印刷画像とする印刷状態を、印刷に先立って確認させることができる。そのうえで印刷データ生成部１０Ｌは、２つ以上の縦横短特徴画像それぞれを印刷画像として、記録用ディスクのディスク一面に印刷することができる。
【０５４１】
因みに、印刷画像生成部１０Ｋは、２つ以上の縦横短特徴画像それぞれを印刷画像とした場合に向きの変更が要求されると、これら複数の縦横短特徴画像を上下逆さまにした状態でそれぞれ印刷画像として印刷データ生成部１０Ｌに送出する。
【０５４２】
そして印刷データ生成部１０Ｌは、上述と同様に、その複数の印刷画像に基づき印刷データを生成することにより、複数の縦横短特徴画像それぞれの上端及び下端の一方をディスク中心側にし、他方をディスク外周側にして絵柄の向きを変更する。
【０５４３】
また印刷画像生成部１０Ｋは、２つ以上の縦横短特徴画像それぞれを印刷画像とした場合にタイトルの追加が要求されると、これら複数の縦横短特徴画像それぞれに、対応するタイトルを重ねたうえで、これらを印刷画像として印刷データ生成部１０Ｌに送出する。
【０５４４】
そして印刷データ生成部１０Ｌは、上述と同様に、その複数の印刷画像に基づき印刷データを生成することにより、それぞれタイトルを重ねた複数の縦横短特徴画像を印刷画像として提示し得るようにし、また印刷し得るようにする。
【０５４５】
さらに印刷画像生成部１０Ｋは、２つ以上の縦横短特徴画像それぞれを印刷画像とした場合にタイトルの削除が要求されると、タイトルを重ねる前の複数の縦横短特徴画像をそれぞれ印刷画像として再び、印刷データ生成部１０Ｌに送出する。
【０５４６】
そして印刷データ生成部１０Ｌは、上述と同様に、その複数の印刷画像に基づき印刷データを生成することにより、それぞれタイトルを削除した複数の縦横短特徴画像を印刷画像として提示し得るようにし、また印刷し得るようにする。
【０５４７】
ところで、画面生成制御部１０Ｆは、ユーザによりリモコンＲＭを介して印刷プレビュ画面８３、９３、９７、１０１上で印刷中止ボタン８６が指示され、印刷の中止が指示されると、その指示を印刷データ生成部１０Ｌに通知する。
【０５４８】
印刷データ生成部１０Ｌは、画面生成制御部１０Ｆから印刷画像８２、９２、９６，１００の印刷の中止が通知されると、この際に生成していた印刷データを破棄する。これにより印刷データ生成部１０Ｌは、記録用ディスク９０、１０２のディスク一面１０２Ａへの印刷画像８２、９２、９６，１００の印刷を中止する。
【０５４９】
また印刷データ生成部１０Ｌは、このようにして印刷画像８２、９２、９６，１００の印刷を中止したときや、上述のように印刷画像８２、９２、９６，１００を印刷して当該印刷が終了したときには、これを印刷画像生成部１０Ｋに通知する。
【０５５０】
これにより印刷画像生成部１０Ｋは、印刷データ生成部１０Ｌからの印刷の中止や印刷の終了の通知を受けて、この際に一時的に保持していた印刷画像や印刷元画像、属性情報を破棄する。
【０５５１】
［１−４  印刷処理手順］
次いで、図３６及び図３７を用いて、主制御部１０が記録用ディスクのディスク一面に印刷画像を印刷する印刷処理手順ＲＴ１について説明する。主制御部１０は、装置内部に記録用ディスクが装填され、ユーザにより印刷モードが選択されると、内蔵メモリ又はハードディスクドライブ１２に予め記憶された印刷プログラムに従い、図３６及び図３７に示す印刷処理手順ＲＴ１を開始する。
【０５５２】
主制御部１０は、印刷処理手順ＲＴ１を開始すると、ステップＳＰ１において、このとき装置内部に装填されている記録用ディスクから全ての属性情報を読み出す。また主制御部１０は、その属性情報に基づき、記録用ディスクに記録されているコンテンツデータをを示す１又は複数の代表画像を取得して、次のステップＳＰ２に移る。
【０５５３】
ステップＳＰ２において主制御部１０は、代表画像を解析して、当該代表画像から画像特徴部分が描かれた特徴描写領域を特徴描写画像として切り出して、次のステップＳＰ３に移る。
【０５５４】
ステップＳＰ３において主制御部１０は、特徴描写画像に基づき印刷画像を生成するか否かを判別する。このステップＳＰ３において肯定結果が得られると、このことは、このとき横長特徴部分や縦長特徴部分が描かれた少なくとも１つの代表画像を取得し、その代表画像から特徴描写画像として横長特徴画像や縦長特徴画像を切り出していたことを表している。ステップＳＰ３において主制御部１０は、かかる肯定結果を得ると、次のステップＳＰ４に移る。
【０５５５】
ステップＳＰ４において主制御部１０は、このとき生成した１つの横長特徴画像又は縦長特徴画像の横長特徴部分又は縦長特徴部分が長く描かれた一方向の一端及び他端を接合して円形の印刷画像を生成する。
【０５５６】
あるいは、主制御部１０は、このとき生成した複数の横長特徴画像及び又は縦長特徴画像を横長特徴部分や縦長特徴部分が長く描かれた一方向に順次繋げて連続特徴描写画像を生成する。また主制御部１０は、その連続特徴描写画像の横長特徴部分や縦長特徴部分が長く描かれた一方向の一端及び他端を接合して円形の１つの印刷画像を生成する。
【０５５７】
このようにして主制御部１０は、このとき生成した１又は複数の横長特徴画像及び又は縦長特徴画像に基づき１つの印刷画像を生成すると、次のステップＳＰ５に移る。
【０５５８】
ところで、ステップＳＰ３において否定結果が得られると、このことは、このとき縦横短特徴部分が描かれた１又は複数の代表画像のみを取得し、その代表画像から特徴描写画像として縦横短特徴画像のみを切り出していたことを表している。ステップＳＰ３において主制御部１０は、かかる否定結果を得ると、その縦横短特徴画像をそのまま印刷画像にして、ステップＳＰ５に移る。
【０５５９】
ステップＳＰ５において主制御部１０は、印刷画像に基づき、当該印刷画像をディスク一面に印刷するための印刷データを生成して、次のステップＳＰ６に移る。
【０５６０】
ステップＳＰ６において主制御部１０は、印刷データに基づき印刷プレビュ画面データを生成する。また主制御部１０は、ディスプレイに印刷プレビュ画面データに基づく印刷プレビュ画面を表示する。
【０５６１】
これにより主制御部１０は、ユーザに印刷プレビュ画面を介して、記録用ディスクのディスク一面に印刷される印刷画像の印刷状態を確認させることができる。このようにして主制御部１０は、ディスプレイに印刷プレビュ画面を表示すると、次のステップＳＰ７に移る。
【０５６２】
ステップＳＰ７において主制御部１０は、記録用ディスクのディスク一面に印刷画像を印刷するか否かを判別する、このステップＳＰ７において肯定結果が得られると、このことはユーザにより印刷プレビュ画面上で印刷画像の印刷状態が確認され、当該印刷画像の印刷が了承されたことを表している。ステップＳＰ７において主制御部１０は、かかる肯定結果を得ると、次のステップＳＰ８に移る。
【０５６３】
ステップＳＰ８において主制御部１０は、プリンタ制御部４９及びプリンタ５０により印刷データに基づいて記録用ディスクのディスク一面に印刷画像を印刷して、次のステップＳＰ９に移る。これによりステップＳＰ９において主制御部１０は、印刷処理手順ＲＴ１を終了する。
【０５６４】
ところで、ステップＳＰ７において否定結果が得られると、このことは印刷画像の絵柄の向きの変更、タイトルの追加、タイトルの削除の何れかを実行し、又は印刷画像の印刷を中止することを表している。ステップＳＰ７において主制御部１０は、かかる否定結果を得ると、ステップＳＰ１０に移る。
【０５６５】
ステップＳＰ１０において主制御部１０は、印刷画像の絵柄の向きを変更するか否かを判別する。このステップＳＰ１０において肯定結果が得られると、このことはユーザにより印刷プレビュ画面上で、印刷画像の絵柄の向きを変更するように要求されたことを表している。ステップＳＰ１０において主制御部１０、かかる肯定結果を得ると、次のステップＳＰ１１に移る。
【０５６６】
ステップＳＰ１１において主制御部１０は、このとき生成していた１又は複数の横長特徴画像及び又は縦長特徴画像に基づき、絵柄の向きを変更した１つの印刷画像を生成して、ステップＳＰ６に戻る。
【０５６７】
またステップＳＰ１０において否定結果が得られると、このことはタイトルの追加、タイトルの削除の何れかを実行し、又は印刷画像の印刷を中止することを表している。ステップＳＰ１０において主制御部１０は、かかる否定結果を得ると、ステップＳＰ１２に移る。
【０５６８】
ステップＳＰ１２において主制御部１０は、印刷画像にタイトルを追加するか否かを判別する。このステップＳＰ１０において肯定結果が得られると、このことはユーザにより印刷プレビュ画面上で、印刷画像にタイトルを追加するように要求されたことを表している。
【０５６９】
ステップＳＰ１２において主制御部１０、かかる肯定結果を得ると、次のステップＳＰ１３に移る。ステップＳＰ１３において主制御部１０は、このとき生成していた印刷画像にタイトル（番組タイトル、動画タイトル、写真タイトル）を追加して、ステップＳＰ６に戻る。
【０５７０】
さらにステップＳＰ１２において否定結果が得られると、このことはタイトルの削除を実行し、又は印刷画像の印刷を中止することを表している。ステップＳＰ１２において主制御部１０は、かかる否定結果を得ると、ステップＳＰ１４に移る。
【０５７１】
ステップＳＰ１４において主制御部１０は、印刷画像上のタイトルを削除するか否かを判別する。このステップＳＰ１０において肯定結果が得られると、このことはユーザにより印刷プレビュ画面上で、印刷画像上のタイトルを削除するように要求されたことを表している。
【０５７２】
ステップＳＰ１４において主制御部１０、かかる肯定結果を得ると、次のステップＳＰ１５に移る。ステップＳＰ１５において主制御部１０は、このとき生成していた印刷画像上のタイトル（番組タイトル、動画タイトル、写真タイトル）を削除して、ステップＳＰ６に戻る。
【０５７３】
さらにまたステップＳＰ１４において否定結果が得られると、このことはユーザにより印刷プレビュ画面上で、印刷画像の印刷を中止するように指示されたことを表している。ステップＳＰ１４において主制御部１０は、かかる否定結果を得ると、ステップＳＰ９に移る。これによりステップＳＰ９において主制御部１０は、印刷処理手順ＲＴ１を終了する。
【０５７４】
［１−５  実施の形態の動作及び効果］
以上の構成において、番組録画装置１の主制御部１０は、装置内部に、コンテンツデータの記録された記録用ディスクが装填されると、記録用ディスクからコンテンツデータを読み出す。
【０５７５】
そして番組録画装置１の主制御部１０は、コンテンツデータをもとに、そのコンテンツデータを示す代表画像を取得する。また番組録画装置１の主制御部１０は、代表画像を解析して、当該代表画像から一方向に長い画像特徴部分が描かれた特徴描写領域を特徴描写画像として切り出す。
【０５７６】
さらに番組録画装置１の主制御部１０は、特徴描写画像の、画像特徴部分が長く描かれた一方向の一端及び他端を接合して円形の印刷画像を生成する共に、その印刷画像をディスク一面に印刷するための印刷データを生成する。そして番組録画装置１の主制御部１０は、その印刷データに基づき、記録用ディスクのディスク一面に印刷画像を印刷する。
【０５７７】
従って番組録画装置１は、記録用ディスクに記録されたコンテンツデータを示す代表画像に描かれた一方向に長い画像特徴部分を、円形の印刷画像として、ディスク一面からはみ出して欠けることなく当該ディスク一面に印刷することができる。
【０５７８】
以上の構成によれば、番組録画装置１は、装置内部に記録用ディスクが装填されると、記録用ディスクに記録されたコンテンツデータをもとに、そのコンテンツデータを示す代表画像を取得して解析し、当該代表画像から一方向に長い画像特徴部分が描かれた特徴描写領域を特徴描写画像として切り出すと共に、その特徴描写画像の画像特徴部分が長く描かれた一方向の一端及び他端を接合して円形の印刷画像を生成して記録用ディスクのディスク一面に印刷するようにした。
【０５７９】
これにより番組録画装置１は、コンテンツデータを示す代表画像に描かれた一方向に長い画像特徴部分を欠けさせることなく、ディスク一面に印刷することができる。よって番組録画装置１は、記録用ディスクのディスク一面に印刷した印刷画像により当該記録用ディスクに記録されたコンテンツデータを確認させることができる。
【０５８０】
また番組録画装置１は、代表画像から一方向に長い画像特徴部分が描かれた特徴描写領域を特徴描写画像として切り出し、その特徴描写画像に基づいて生成した円形の印刷画像を、記録用ディスクのディスク一面に印刷するようにした。
【０５８１】
従って番組録画装置１は、ディスク一面に印刷した印刷画像の内容のほとんどを画像特徴部分として、当該印刷画像として画像特徴部分をより認識させ易くすることができる。よって番組録画装置１は、記録用ディスクのディスク一面に印刷した印刷画像により、当該記録用ディスクに記録されたコンテンツデータを的確に確認させることができる。
【０５８２】
さらに番組録画装置１は、このようにして特徴描写画像に基づき生成した円形の印刷画像を、拡大して記録用ディスクのディスク一面に印刷するようにした。従って番組録画装置１は、ディスク一面に印刷した印刷画像の絵柄を、より確認させ易くすることができる。よって番組録画装置１は、記録用ディスクのディスク一面に印刷した印刷画像により、当該記録用ディスクに記録されたコンテンツデータをより的確に確認させることができる。
【０５８３】
さらに番組録画装置１は、複数の代表画像をもとに、一方向に長い画像特徴部分が描かれた複数の特徴描写画像を生成すると、複数の特徴描写画像を画像特徴部分が長く描かれた一方向に順次繋げて連続特徴描写画像を生成する。そして番組録画装置１は、連続特徴描写画像の画像特徴部分が長く描かれた一方向の一端及び他端を接合して円形の１つの印刷画像を生成しディスク一面に印刷するようにした。
【０５８４】
従って番組録画装置１は、記録用ディスクに記録された複数のコンテンツデータを示す複数の特徴描写画像それぞれに描かれた一方向に長い画像特徴部分を何れも欠けさせることなく、ディスク一面に印刷することができる。よって番組録画装置１は、記録用ディスクのディスク一面に印刷した印刷画像により、当該記録用ディスクに記録された複数のコンテンツデータも的確に確認させることができる。
【０５８５】
さらに番組録画装置１は、代表画像内の一方向に長い画像特徴部分が描かれた特徴描写領域から、当該一方向の一端部及び他端部において最も類似している一端及び他端を切出位置として特徴描写画像を切り出すようにした。
【０５８６】
従って番組録画装置１は、特徴描写画像の一端と他端とを接合して生成した印刷画像を、接合部分が目立つことを極力回避して、あたかも、もとから１つの円形の画像のように見せることができる。
【０５８７】
また番組録画装置１は、１つの特徴描写画像の一端及び他端を接合して印刷画像を生成するとき、当該特徴描写画像の一端部及び他端部に適宜、特殊効果処理を施すようにした。よって番組録画装置１は、印刷画像において、もとの特徴描写画像の一端と他端との接合部分をさらに目立ちにくくすることができる。
【０５８８】
さらに番組録画装置１は、複数の特徴描写画像を画像特徴部分が長く描かれた一方向に順次繋げて連続特徴描写画像を生成するとき、これら複数の特徴描写画像の接続部分にも特殊効果処理を施すようにした。よって番組録画装置１は、印刷画像において、もとの複数の特徴描写画像の接続部分や接合部分を目立ちにくくすることができる。
【０５８９】
さらに番組録画装置１は、一方向に長い画像特徴部分が描かれた代表画像を取得し得ずに、何れの方向にも短い画像特徴部分が描かれた代表画像を取得したときには、その何れの方向にも短い画像特徴部分を印刷画像としてディスク一面に印刷するようにした。
【０５９０】
よって番組録画装置１は、一方向に長い画像特徴部分が描かれた代表画像を取得し得ない場合でも、記録用ディスクのディスク一面に印刷した印刷画像により、当該記録用ディスクに記録されたコンテンツデータを確認させることができる。
【０５９１】
＜２．変形例＞
［２−１  変形例１］
なお上述した実施の形態においては、番組録画装置１において、コンテンツデータの記録された記録用ディスクが装填され、印刷モードが選択されると、印刷画像を生成してディスク一面に印刷するようにした場合について述べた。
【０５９２】
しかしながら本発明は、これに限らず、番組録画装置１において、未使用（新品）の記録用ディスクが装填され、コンテンツデータの記録が終了すると、引き続き当該コンテンツデータを示す代表画像から特徴描写画像を切り出す。そして番組録画装置１が、その特徴描写画像を印刷画像としてディスク一面に印刷するようにしても良い。
【０５９３】
［２−２  変形例２］
また上述した実施の形態においては、代表画像から切り出した特徴描写画像の、画像特徴部分が長く描かれた一方向の一端及び他端を接合して円形の印刷画像を生成するようにした場合について述べた。
【０５９４】
しかしながら本発明は、これに限らず、図３８に示すように、代表画像から切り出した特徴描写画像１１０において、画像特徴部分が長く描かれた一方向と直交する他方向の一端部１１０Ａに画素を補間して、当該他方向の幅を広げる。
【０５９５】
そして本発明は、他方向の幅を広げた特徴描写画像１１１において、画素を補間した端部１１１Ａ側の一端をまとめて画像中心とし、他方向の他端を画像外周とした円形の印刷画像を生成するようにしても良い。
【０５９６】
これにより本発明は、印刷画像をディスク一面に印刷した場合、当該印刷画像の絵柄においてディスク中心側の部分を極力見せることができ、印刷画像の内容をより確認し易くすることができる。
【０５９７】
また本発明は、特徴描写画像において、画像特徴部分が長く描かれた一方向と直交する他方向の一端部に、白又は黒のような単色で、当該一方向と平行な帯状の画像を追加することにより、当該特徴描写画像の他方向の幅を広げるようにする。
【０５９８】
そして本発明は、他方向の幅を広げた特徴描写画像において、帯状の画像を追加した側の一端をまとめて画像中心とし、他方向の他端を画像外周とした円形の印刷画像を生成するようにしても良い。
【０５９９】
本発明は、かかる構成によっても、印刷画像をディスク一面に印刷した場合、当該印刷画像の絵柄においてディスク中心側の部分を極力見せることができ、印刷画像の内容をより確認し易くすることができる。
【０６００】
［２−３  変形例３］
さらに上述した実施の形態においては、代表画像を画素のＲ、Ｇ、Ｂの値に基づいて解析して特徴描写領域を検出し、当該代表画像から、その特徴描写領域を特徴描写画像として切り出すようにした場合について述べた。
【０６０１】
しかしながら本発明は、これに限らず、代表画像を色相、彩度、明度（HSV:Hue  Saturation  Value）や、輝度等に基づいて解析して特徴描写領域を検出し、当該代表画像から、その特徴描写領域を特徴描写画像として切り出すようにしても良い。
【０６０２】
［２−４  変形例４］
さらに上述した実施の形態においては、代表画像から一方向に長い画像特徴部分が描かれた特徴描写画像を切り出し、その特徴描写画像の当該一方向の一端及び他端を接合するようにして円形の印刷画像を生成するようにした場合について述べた。
【０６０３】
しかしながら本発明は、これに限らず、代表画像を解析して、一方向に長い画像特徴部分が描かれているか否かを判別する。そして本発明は、一方向に長い画像特徴部分が描かれた代表画像については、そのまま当該一方向の一端及び他端を接合するようにして円形の印刷画像を生成するようにしても良い。本願発明は、かかる構成の場合、代表画像に基づく印刷画像の生成処理を簡易化して、当該生成処理の処理負荷を低減させることができる。
【０６０４】
［２−５  変形例５］
さらに上述した実施の形態においては、記録用ディスクに記録されているコンテンツデータの一部又はそのものを代表画像データとして取得するようにした場合について述べた。
【０６０５】
しかしながら本発明は、これに限らず、印刷時、記録用ディスクに記録されているコンテンツデータを示す代表画像を、ネットワーク上の画像提供装置のような外部の装置から取得し、その代表画像に基づいて特徴描写画像を生成するようにしても良い。
【０６０６】
［２−６  変形例６］
さらに上述した実施の形態においては、複数の特徴描写画像を順次繋げて連続特徴描写画像を生成する際、何れか１つの特徴描写画像の幅を基準として他の特徴描写画像を全体的に拡大又は縮小して、互いの幅を合せるようにした場合について述べた。
【０６０７】
しかしながら本発明は、これに限らず、複数の特徴描写画像を順次繋げて連続特徴描写画像を生成する際、複数の特徴描写画像のうち最も幅の広い１つの特徴描写画像の当該幅を基準とする。そして本発明は、他の特徴描写画像を拡大して、当該他の特徴描写画像の幅を基準の幅に合せるようにしても良い。
【０６０８】
これにより本発明は、複数の特徴描写画像を順次繋げて連続特徴描写画像を生成する際、複数の特徴描写画像を、画素を間引いて縮小しない分、当該特徴描写画像の画質が、画素の間引きにより劣化することを防止することができる。
【０６０９】
［２−７  変形例７］
さらに上述した実施の形態においては、代表画像を解析して一方向に長い画像特徴部分が描かれた特徴描写領域を検出すると、その特徴描写領域において一方向の一端部及び他端部の切り出し位置を特定して特徴描写画像を切り出すようにした場合について述べた。
【０６１０】
しかしながら本発明は、これに限らず、代表画像を解析して一方向に長い画像特徴部分が描かれた特徴描写領域を検出すると、その特徴描写領域をそのまま特徴描写画像として切り出すようにしても良い。本発明は、かかる構成の場合、代表画像から特徴描写画像を切り出す解析切出処理を簡易化して、当該解析切出処理の処理負荷を低減させることができる。
【０６１１】
［２−８  変形例８］
さらに上述した実施の形態においては、特徴描写画像の一端部及び他端部や、連続特徴描写画像に含まれる複数の特徴描写画像の接続部分等に特殊効果処理を施すようにした場合について述べた。
【０６１２】
しかしながら本発明は、これに限らず、特徴描写画像全体の色を、モノクロやセピア色に変換するようにしても良い。本発明は、かかる構成によっても、特徴描写画像や連続特徴描写画像に基づいて生成した印刷画像において、特徴描写画像や連続特徴描写画像の一端及び他端の接合部分を目立たなくさせることができる。また本発明は、かかる構成により、連続特徴描写画像に含まれる複数の特徴描写画像の接続部分も目立たなくさせることができる。
【０６１３】
［２−９  変形例９］
さらに上述した実施の形態においては、印刷画像に適宜、タイトルを追加するようにした場合について述べた。
【０６１４】
しかしながら本発明は、これに限らず、印刷画像に適宜、ジャンルや、サブタイトル、放送日、製作会社名、監督名、出演者名及びスタッフの名前等のように、コンテンツデータに関連する、この他種々の情報を文字や図形として追加するようにしても良い。
【０６１５】
［２−１０  変形例１０］
さらに上述した実施の形態においては、本発明の印刷装置を、図１乃至図３８について上述した番組録画装置１に適用するようにした場合について述べた。
【０６１６】
しかしながら本発明は、これに限らず、外部の記録装置によりコンテンツデータが記録された記録用ディスクか装填されると、その記録用ディスクに記録されたコンテンツデータを示す印刷画像を生成してディスク一面に印刷するプリンタに適用することができる。
【０６１７】
また本発明は、コンピュータや携帯電話機、ＰＤＡ（Personal  Digital  Assistance）、携帯型ゲーム機器等の情報処理装置と、プリンタとを有線又は無線接続して構築される記録印刷システムに適用することもできる。
【０６１８】
さらに本発明は、デジタルビデオカメラやデジタルスチルカメラと、プリンタとを有線又は無線接続して構築される記録印刷システム等のように、この他種々の構成の印刷装置にも適用することができる。
【０６１９】
［２−１１  変形例１１］
さらに上述した実施の形態においては、本発明による印刷プログラムを、図１乃至図３８について上述した主制御部１０の内部メモリ又はハードディスクドライブ１２に予め記憶された印刷プログラムに適用した。そして主制御部１０が、その印刷プログラムに従って上述した印刷処理手順ＲＴ１を実行するようにした場合について述べた。
【０６２０】
しかしながら本発明は、これに限らず、番組録画装置１が印刷プログラムの記録されたコンピュータ読取可能な記録媒体によって印刷プログラムをインストールしても良い。そして主制御部１０が、そのインストールした印刷プログラムに従って印刷処理手順ＲＴ１を実行するようにしても良い。
【０６２１】
また番組録画装置１は、ローカルエリアネットワークやインターネット、デジタル衛星放送等の有線及び無線通信媒体を利用して外部から印刷プログラムをインストールするようにしても良い。
【０６２２】
そして印刷プログラムを番組録画装置１にインストールして実行可能な状態にするためのコンピュータ読取可能な記録媒体としては、例えばフレキシブルディスクのようなパッケージメディアで実現しても良い。
【０６２３】
また印刷プログラムを番組録画装置１にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０６２４】
さらに印刷プログラムを番組録画装置１にインストールして実行可能な状態にするためのコンピュータ読取可能な記録媒体としては、ＤＶＤ（Digital  Versatile  Disc）等のパッケージメディアで実現しても良い。
【０６２５】
さらに、かかるコンピュータ読取可能な記録媒体としては、パッケージメディアのみならず、各種プログラムが一時的もしくは永続的に記録される半導体メモリや磁気ディスク等で実現しても良い。
【０６２６】
また、これらコンピュータ読取可能な記録媒体に印刷プログラムを記録する手段としては、ローカルエリアネットワークやインターネット、デジタル衛星放送等の有線及び無線通信媒体を利用しても良い。
【０６２７】
さらにコンピュータ読取可能な記録媒体に印刷プログラムを記録する手段としては、ルータやモデム等の各種通信インタフェースを介して記録するようにしても良い。
【０６２８】
［２−１２  変形例１２］
さらに上述した実施の形態においては、記録用ディスクに記録されたコンテンツとして、図１乃至図３８について上述したデジタル系放送やアナログ系放送の録画番組の番組データ、デジタル撮影機器により被写体を動画撮影や写真撮影して生成された動画像データや写真画像データを適用するようにした場合について述べた。
【０６２９】
しかしながら本発明は、これに限らず、ネットワーク上の提供装置から提供されるミュージッククリップや、音楽データ、映画のような映像データ、テキストデータ、ゲームプログラムのようなプログラムデータ等のように、この他種々のコンテンツを広く適用することができる。
【０６３０】
［２−１３  変形例１３］
さらに上述した実施の形態においては、記録用ディスクに記録されたコンテンツを示し、一方向に長い画像特徴部分が描かれた代表画像の当該一方向の一端及び他端を接合するようにして円形の印刷画像を生成する印刷画像生成部として、図１乃至図３８について上述したマイクロコンピュータ構成の主制御部１０を適用するようにした場合について述べた。
【０６３１】
しかしながら本発明は、これに限らず、ＣＰＵ（Central  Processing  Unit）やマイクロプロセッサ、ＤＳＰ（Digital  Signal  Processor）を適用することができる。また本発明は、記録用ディスクに記録されたコンテンツを示し、一方向に長い画像特徴部分が描かれた代表画像の当該一方向の一端及び他端を接合するようにして円形の印刷画像を生成するハードウェア回路構成の印刷画像生成回路等のように、この他種々の構成の印刷画像生成部にも広く適用することができる。
【０６３２】
［２−１４  変形例１４］
さらに上述した実施の形態においては、記録用ディスクのディスク中心に印刷画像の画像中心を合せて当該記録用ディスクのディスク一面に印刷画像を印刷する印刷部として、図１乃至図３８について上述した主制御部１０、番組録画装置１内のプリンタ制御部４９及びプリンタ５０を適用するようにした場合について述べた。
【０６３３】
しかしながら本発明は、これに限らず、記録用ディスクにコンテンツを記録する記録装置に有線又は無線接続される印刷機等のように、この他種々の印刷部を広く適用することができる。
【０６３４】
［２−１５  変形例１５］
さらに上述した実施の形態においては、代表画像を解析して一方向に長い画像特徴部分が描かれた特徴描写領域を検出し、代表画像から、当該検出した特徴描写領域を特徴描写画像として切り出す画像解析部として、図１乃至図３８について上述したマイクロコンピュータ構成の主制御部１０を適用するようにした場合について述べた。
【０６３５】
しかしながら本発明は、これに限らず、ＣＰＵやマイクロプロセッサ、ＤＳＰを適用することができる。また本発明は、代表画像を解析して一方向に長い画像特徴部分が描かれた特徴描写領域を検出し、代表画像から、当該検出した特徴描写領域を特徴描写画像として切り出すハードウェア回路構成の画像解析回路等のように、この他種々の構成の画像解析部にも広く適用することができる。
【０６３６】
［２−１６  変形例１６］
さらに上述した実施の形態においては、印刷画像に描かれた画像特徴部分の絵柄の向きを変更するように指示するための指示部として、図１乃至図３８について上述したリモコンＲＭを適用するようにした場合について述べた。
【０６３７】
しかしながら本発明は、これに限らず、録画番組装置の正面に配置された操作キーや、ディスプレイに組み込まれたタッチパネル等のように、この他種々の指示部を広く適用することができる。
【産業上の利用可能性】
【０６３８】
本発明は、印刷機能を有する番組録画装置や、印刷データの生成機能を有するプリンタ等の印刷装置に利用することができる。
【符号の説明】
【０６３９】
１……番組録画装置、１０……主制御部、１０Ｈ……代表画像取得部、１０Ｊ……画像解析部、１０Ｋ……印刷画像生成部、１０Ｌ……印刷データ生成部、４９……プリンタ制御部、５０……プリンタ、６０、６３、６６……代表画像、６２……横長特徴画像、６５……縦長特徴画像、６８……縦横短特徴画像、７０、８２、９２、９６、１００……印刷画像、９０、１０２……記録用ディスク、ＲＴ１……印刷処理手順。
【図１】
2010277647.tif 000013
【図２】
2010277647.tif 000014
【図３】
2010277647.tif 000015
【図４】
2010277647.tif 000016
【図５】
2010277647.tif 000017
【図６】
2010277647.tif 000018
【図７】
2010277647.tif 000019
【図８】
2010277647.tif 000020
【図９】
2010277647.tif 000021
【図１０】
2010277647.tif 000022
【図１１】
2010277647.tif 000023
【図１２】
2010277647.tif 000024
【図１３】
2010277647.tif 000025
【図１４】
2010277647.tif 000026
【図１５】
2010277647.tif 000027
【図１６】
2010277647.tif 000028
【図１７】
2010277647.tif 000029
【図１８】
2010277647.tif 000030
【図１９】
2010277647.tif 000031
【図２０】
2010277647.tif 000032
【図２１】
2010277647.tif 000033
【図２２】
2010277647.tif 000034
【図２３】
2010277647.tif 000035
【図２４】
2010277647.tif 000036
【図２５】
2010277647.tif 000037
【図２６】
2010277647.tif 000038
【図２７】
2010277647.tif 000039
【図２８】
2010277647.tif 000040
【図２９】
2010277647.tif 000041
【図３０】
2010277647.tif 000042
【図３１】
2010277647.tif 000043
【図３２】
2010277647.tif 000044
【図３３】
2010277647.tif 000045
【図３４】
2010277647.tif 000046
【図３５】
2010277647.tif 000047
【図３６】
2010277647.tif 000048
【図３７】
2010277647.tif 000049
【図３８】
2010277647.tif 000050